(57)【要約】  幾つかの実施形態によると、方法は、チャネル状態情報をレポートするためのユーザ装置によって実行される。ユーザ装置は、チャネル状態情報基準信号（ＣＳＩ−ＲＳ）リソースセット内の２つ以上のＣＳＩ−ＲＳリソースで構成される。本方法は、ＣＳＩ−ＲＳリソースセットから少なくとも２つのＣＳＩ−ＲＳリソースを選択することであって、少なくとも２つの選択されたＣＳＩ−ＲＳリソースそれぞれは、空間多重化レイヤのセットに関連付けられ、異なるセットは異なるレイヤを含む前記選択することと、選択されたＣＳＩ−ＲＳリソースそれぞれに対して優先プリコーダ行列を決定することと、選択されたＣＳＩ−ＲＳリソースと決定した優先プリコーダ行列を示すＣＳＩレポートを送信することと、を含む。本方法は、さらに、選択されたＣＳＩ−ＲＳリソースのチャネル推定値を計算することと、複数の有効チャネルからの仮想送信に対応するチャネル品質インジケータ（ＣＱＩ）を決定することと、を含み、有効チャネルを介して送信されるレイヤは相互に干渉し得る。ＣＳＩレポートは、選択されたＣＳＩ−ＲＳリソースの決定されたＣＱＩを示し得る。
2020523885.tif 000002
【特許請求の範囲】
【請求項１】
無線通信システムにおいてチャネル状態情報をレポートするためにユーザ装置によって実行される方法であって、
前記ユーザ装置は、チャネル状態情報基準信号（ＣＳＩ−ＲＳ）リソースセット内の２つ以上のＣＳＩ−ＲＳリソースで構成され、前記方法は、
前記ＣＳＩ−ＲＳリソースセットから少なくとも２つのＣＳＩ−ＲＳリソースを選択する（９１６）ことであって、前記少なくとも２つの選択されたＣＳＩ−ＲＳリソースそれぞれは、空間的に多重化されたレイヤのセットに関連付けられ、異なるセットは異なるレイヤを含む、前記選択することと、
前記選択されたＣＳＩ−ＲＳリソースそれぞれに対して優先プリコーダ行列を決定する（９１８）ことと、
前記選択されたＣＳＩ−ＲＳリソースそれぞれと、前記選択されたＣＳＩ−ＲＳリソースそれぞれに対して前記決定された優先プリコーダ行列と、を示すＣＳＩレポートを送信する（９２２）ことと、を含む方法。
【請求項２】
請求項１に記載の方法であって、
前記選択されたＣＳＩ−ＲＳリソースの第１ＣＳＩ−ＲＳリソースは、レイヤの第１セットを含み、前記選択されたＣＳＩ−ＲＳリソースの第２ＣＳＩ−ＲＳリソースは、レイヤの第２セットを含み、レイヤの前記第１セット及びレイヤの前記第２セットは相互に干渉する、方法。
【請求項３】
請求項１又は２に記載の方法であって、さらに、
前記選択されたＣＳＩ−ＲＳリソースそれぞれに対してチャネル推定値を計算する（９１４）ことと、
複数の有効チャネルでの仮定送信に対応するチャネル品質インジケータ（ＣＱＩ）を決定する（９２０）ことであって、前記有効チャネルは、前記選択されたＣＳＩ−ＲＳリソースそれぞれに対する前記優先プリコーダ行列及びチャネル推定値に依存し、前記有効チャネルを介して送信されるレイヤは相互に干渉する、前記決定することと、を含み、
前記ＣＳＩレポートは、さらに、前記選択されたＣＳＩ−ＲＳリソースそれぞれに対する前記決定されたＣＱＩを示す、方法。
【請求項４】
請求項１から３のいずれか１項に記載の方法であって、
各ＣＳＩ−ＲＳリソースは、
アンテナポート数（Ｐ）と、
垂直パネル数（Ｍｇ）及び水平パネル数（Ｎｇ）でパラメータ化されたマルチパネルアンテナアレイポートレイアウトと、
プリコーダコードブックと、
の内の少なくとも１つに関連付けられる、方法。
【請求項５】
請求項１から４のいずれか１項に記載の方法であって、
各ＣＳＩ−ＲＳリソースは、異なる疑似コロケーション（ＱＬＣ）仮定に関連付けられる、方法。
【請求項６】
請求項１から５のいずれか１項に記載の方法であって、
前記ＣＳＩ−ＲＳリソースセットの各ＣＳＩ−ＲＳリソースで搬送される前記ＣＳＩ−ＲＳは、異なるアンテナサブセットから送信される、方法。
【請求項７】
請求項６に記載の方法であって、
前記異なるアンテナサブセットは、異なる送信ポイントに属する、方法。
【請求項８】
請求項６に記載の方法であって、
前記異なるアンテナサブセットは、同じ送信ポイントの異なるアンテナパネルに属する、方法。
【請求項９】
請求項１から８のいずれか１項に記載の方法であって、さらに、
１つ以上のＣＳＩ−ＲＳリソースの組み合わせの可能な仮定を含むＣＳＩレポート構成を取得する（９１０）ことを含み、
前記少なくとも２つのＣＳＩ−ＲＳリソースを選択することは、前記可能な仮定の選択された１つに従って前記少なくとも２つのＣＳＩ−ＲＳリソースを選択することを含み、
前記ＣＳＩレポートは、前記選択された可能な仮定を示すことにより、前記選択されたＣＳＩ−ＲＳリソースを示す、方法。
【請求項１０】
請求項１から９のいずれか１項に記載の方法であって、
前記ＣＳＩレポートを送信することは、単一メッセージをネットワークノードに送信すること、を含む方法。
【請求項１１】
請求項１から９のいずれか１項に記載の方法であって、
前記ＣＳＩレポートを送信することは、前記選択されたＣＳＩ−ＲＳリソースの１つのＣＳＩ−ＲＳリソースに関連付けられた第１メッセージを送信することと、前記選択されたＣＳＩ−ＲＳリソースの第２ＣＳＩ−ＲＳリソースに関連付けられた第２メッセージを送信することと、を含む方法。
【請求項１２】
請求項１１に記載の方法であって、
前記第１メッセージは第１送信ポイントに送信され、前記第２メッセージは第２送信ポイントに送信される、方法。
【請求項１３】
請求項１から１２のいずれか１項に記載の方法であって、
少なくとも１つの選択されたＣＳＩ−ＲＳに対して前記決定された優先プリコーダ行列は、第１サブバンドに対する第１優先プリコーダ行列を含み、
前記方法は、さらに、前記少なくとも１つの選択されたＣＳＩ−ＲＳリソースについて、第２サブバンドに対する第２優先プリコーダ行列を決定する（９２０）ことを含み、
前記ＣＳＩレポートは、前記少なくとも１つの選択されたＣＳＩ−ＲＳリソースに対する前記第１優先プリコーダ行列及び前記第２優先プリコーダ行列を示す、方法。
【請求項１４】
請求項１から１３のいずれか１項に記載の方法であって、さらに、
前記ＣＱＩを決定するときに使用するコードワードからレイヤへのマッピングの表示を受信する（９１０）ことを含む、方法。
【請求項１５】
請求項１から１４のいずれか１項に記載の方法であって、
復調基準信号（ＤＭＲＳ）アンテナポートのセットには、７〜１４の番号が付与され、
ＣＳＩ−ＲＳアンテナポートのセットには、１５〜３１の番号が付与され、
アンテナポート｛ｐｋ，ｐｋ＋１｝上、ここでｐｋ＝７＋Σｋ−１ｌ＝１ｖ１、の物理下りリンク共有チャネル（ＰＤＳＣＨ）信号のセットは、
【数１】
2020523885.tif 000017
ここで、
【数２】
2020523885.tif 000018
は、シンボルのベクトルであり、ｖＴＯＴ＝ΣＫｋ＝１ｖｋである、
で与えられる、Ｋ個のＣＳＩ−ＲＳリソースのセットのＣＳＩ−ＲＳリソースｋに対応するアンテナポート｛１５，・・・，１４＋Ｐｋ｝で送信される対応シンボルと同等の信号であり、各シンボルは、前記ユーザ装置に送信されるレイヤに対応し、前記ＰＤＳＣＨを送信する総てのレイヤを含む、方法。
【請求項１６】
請求項１から１４のいずれか１項に記載の方法であって、
前記選択されたＣＳＩ−ＲＳリソースのインデックスｋを有するＣＳＩ−ＲＳリソースに対して前記決定された優先プリコーダは、ｙ＝Ｗｋｘに従って前記ユーザ装置に送信される物理下りリンク共有チャネル（ＰＤＳＣＨ）信号のベクトルｘのレイヤのセットでＷｋを使用することに等しい送信ベクトルｙに従って決定される行列Ｗｋであり、ｙは、インデックスｋの前記ＣＳＩ−ＲＳリソースに対応するアンテナポート上での送信である、方法。
【請求項１７】
請求項１から１４のいずれか１項に記載の方法であって、
前記ＰＤＳＣＨ信号は、第１ポート番号Ｄ１で始まるインデックスが付与されたｖｋ個の復調基準信号（ＤＭＲＳ）アンテナポートのセット上にあり、
インデックスｋの前記ＣＳＩ−ＲＳリソースは、Ｐｋ個のアンテナポートを含み、インデックスＣ１が付与された第１アンテナポートを含み、
アンテナポート｛ｑｋ，ｑｋ＋１｝上の前記ＰＤＳＣＨ信号、ここで、ｑｋ＝Ｄ１＋Σｋ−１ｌ＝１ｖ１は、
【数３】
2020523885.tif 000019
で与えられる、ＣＳＩ−ＲＳリソースｋに対応するアンテナポート｛Ｃ１，・・・，Ｃ１＋Ｐｋ｝での送信に相当する信号である、方法。
【請求項１８】
無線通信システム（１００）においてチャネル状態情報をレポート可能なユーザ装置（１１０）であって、
前記ユーザ装置は、チャネル状態情報基準信号（ＣＳＩ−ＲＳ）リソースセット内の２つ以上のＣＳＩ−ＲＳリソースで構成され、前記ユーザ装置は、処理回路（１０２０）を備え、
前記処理回路は、
前記ＣＳＩ−ＲＳリソースセットから少なくとも２つのＣＳＩ−ＲＳリソースを選択し、前記少なくとも２つの選択されたＣＳＩ−ＲＳリソースそれぞれは、空間的に多重化されたレイヤのセットに関連付けられ、異なるセットは異なるレイヤを含む、前記選択し、
前記選択されたＣＳＩ−ＲＳリソースそれぞれに対して優先プリコーダ行列を決定し、
前記選択されたＣＳＩ−ＲＳリソースそれぞれと、前記選択されたＣＳＩ−ＲＳリソースのそれぞれに対して前記決定された優先プリコーダ行列と、を示すＣＳＩレポートを送信する様に動作可能である、ユーザ装置。
【請求項１９】
請求項１８に記載のユーザ装置であって、
前記選択されたＣＳＩ−ＲＳリソースの第１ＣＳＩ−ＲＳリソースは、レイヤの第１セットを含み、前記選択されたＣＳＩ−ＲＳリソースの第２ＣＳＩ−ＲＳリソースは、レイヤの第２セットを含み、レイヤの前記第１セット及びレイヤの前記第２セットは相互に干渉する、ユーザ装置。
【請求項２０】
請求項１８又は１９に記載のユーザ装置であって、
前記処理回路は、さらに、
前記選択されたＣＳＩ−ＲＳリソースそれぞれのチャネル推定値を計算し、
複数の有効チャネルでの仮定送信に対応するチャネル品質インジケータ（ＣＱＩ）を決定する様に動作可能であり、前記有効チャネルは、前記選択されたＣＳＩ−ＲＳリソースそれぞれに対する前記優先プリコーダ行列及びチャネル推定値に依存し、前記有効チャネルを介して送信されるレイヤは相互に干渉し、
前記ＣＳＩレポートは、さらに、前記選択されたＣＳＩ−ＲＳリソースそれぞれに対して前記決定されたＣＱＩを示す、ユーザ装置。
【請求項２１】
請求項１８から２０のいずれか１項に記載のユーザ装置であって、
各ＣＳＩ−ＲＳリソースは、
アンテナポート数（Ｐ）と、
垂直パネル数（Ｍｇ）及び水平パネル数（Ｎｇ）でパラメータ化されたマルチパネルアンテナアレイポートレイアウトと、
プリコーダコードブックと、
の内の少なくとも１つに関連付けられる、ユーザ装置。
【請求項２２】
請求項１８から２１のいずれか１項に記載のユーザ装置であって、
各ＣＳＩ−ＲＳリソースは、異なる疑似コロケーション（ＱＬＣ）仮定に関連付けられる、ユーザ装置。
【請求項２３】
請求項１８から２２のいずれか１項に記載のユーザ装置であって、
前記ＣＳＩ−ＲＳリソースセットの各ＣＳＩ−ＲＳリソースで搬送される前記ＣＳＩ−ＲＳは、異なるアンテナサブセットから送信される、ユーザ装置。
【請求項２４】
請求項２３に記載のユーザ装置であって、
前記異なるアンテナサブセットは、異なる送信ポイントに属する、ユーザ装置。
【請求項２５】
請求項２３に記載のユーザ装置であって、
前記異なるアンテナサブセットは、同じ送信ポイントの異なるアンテナパネルに属する、ユーザ装置。
【請求項２６】
請求項１８から２５のいずれか１項に記載のユーザ装置であって、
前記処理回路は、さらに、
１つ以上のＣＳＩ−ＲＳリソースの組み合わせの可能な仮定を含むＣＳＩレポート構成を取得する様に動作可能であり、
前記処理回路は、前記可能な仮定の選択された１つに従って前記少なくとも２つのＣＳＩ−ＲＳリソースを選択することにより、前記少なくとも２つのＣＳＩ−ＲＳリソースを選択する様に動作可能であり、
前記ＣＳＩレポートは、前記選択された可能な仮定を示すことにより、前記選択されたＣＳＩ−ＲＳリソースを示す、ユーザ装置。
【請求項２７】
請求項１８から２６のいずれか１項に記載のユーザ装置であって、
前記処理回路は、単一メッセージをネットワークノード（１２）に送信することにより前記ＣＳＩレポートを送信する様に動作可能である、ユーザ装置。
【請求項２８】
請求項１８から２６のいずれか１項に記載のユーザ装置であって、
前記処理回路は、前記選択されたＣＳＩ−ＲＳリソースの１つのＣＳＩ−ＲＳリソースに関連付けられた第１メッセージを送信し、前記選択されたＣＳＩ−ＲＳリソースの第２ＣＳＩ−ＲＳリソースに関連付けられた第２メッセージを送信することにより、前記ＣＳＩレポートを送信する様に動作可能である、ユーザ装置。
【請求項２９】
請求項２８に記載のユーザ装置であって、
前記第１メッセージは第１送信ポイントに送信され、前記第２メッセージは第２送信ポイントに送信される、ユーザ装置。
【請求項３０】
請求項１８から２９のいずれか１項に記載のユーザ装置であって、
少なくとも１つの選択されたＣＳＩ−ＲＳに対して前記決定された優先プリコーダ行列は、第１サブバンドに対する第１優先プリコーダ行列を含み、
前記処理回路は、さらに、前記少なくとも１つの選択されたＣＳＩ−ＲＳリソースについて、第２サブバンドに対する第２優先プリコーダ行列を決定する様に動作可能であり、
前記ＣＳＩレポートは、前記少なくとも１つの選択されたＣＳＩ−ＲＳリソースに対する前記第１優先プリコーダ行列及び前記第２優先プリコーダ行列を示す、ユーザ装置。
【請求項３１】
請求項１８から３０のいずれか１項に記載のユーザ装置であって、
前記処理回路は、さらに、前記ＣＱＩを決定するときに使用するコードワードからレイヤへのマッピングの表示を受信する様に動作可能である、ユーザ装置。
【請求項３２】
請求項１８から３１のいずれか１項に記載のユーザ装置であって、
復調基準信号（ＤＭＲＳ）アンテナポートのセットには、７〜１４の番号が付与され、
ＣＳＩ−ＲＳアンテナポートのセットには、１５〜３１の番号が付与され、
アンテナポート｛ｐｋ，ｐｋ＋１｝上、ここでｐｋ＝７＋Σｋ−１ｌ＝１ｖ１、の物理下りリンク共有チャネル（ＰＤＳＣＨ）信号のセットは、
【数４】
2020523885.tif 000020
ここで、
【数５】
2020523885.tif 000021
は、シンボルのベクトルであり、ｖＴＯＴ＝ΣＫｋ＝１ｖｋである、
で与えられる、Ｋ個のＣＳＩ−ＲＳリソースのセットのＣＳＩ−ＲＳリソースｋに対応するアンテナポート｛１５，・・・，１４＋Ｐｋ｝で送信される対応するシンボルと同等の信号であり、各シンボルは、前記ユーザ装置に送信されるレイヤに対応し、前記ＰＤＳＣＨを送信する総てのレイヤを含む、ユーザ装置。
【請求項３３】
請求項１８から３１のいずれか１項に記載のユーザ装置であって、
前記選択されたＣＳＩ−ＲＳリソースのインデックスｋを有するＣＳＩ−ＲＳリソースに対して前記決定された優先プリコーダは、ｙ＝Ｗｋｘに従って前記ユーザ装置に送信される物理下りリンク共有チャネル（ＰＤＳＣＨ）信号のベクトルｘのレイヤのセットでＷｋを使用することに等しい送信ベクトルｙに従って決定される行列Ｗｋであり、ｙは、インデックスｋの前記ＣＳＩ−ＲＳリソースに対応するアンテナポート上での送信である、ユーザ装置。
【請求項３４】
請求項１８から３１のいずれか１項に記載のユーザ装置であって、
前記ＰＤＳＣＨ信号は、第１ポート番号Ｄ１で始まるインデックスが付与されたｖｋ個の復調基準信号（ＤＭＲＳ）アンテナポートのセット上にあり、
インデックスｋの前記ＣＳＩ−ＲＳリソースは、Ｐｋ個のアンテナポートを含み、インデックスＣ１が付与された第１アンテナポートを含み、
アンテナポート｛ｑｋ，ｑｋ＋１｝上の前記ＰＤＳＣＨ信号、ここで、ｑｋ＝Ｄ１＋Σｋ−１ｌ＝１ｖ１は、
【数６】
2020523885.tif 000022
で与えられる、ＣＳＩ−ＲＳリソースｋに対応するアンテナポート｛Ｃ１，・・・，Ｃ１＋Ｐｋ｝での送信に相当する信号である、ユーザ装置。
【請求項３５】
無線通信システムのネットワークノードにより実行される方法であって、
第１アンテナサブセットから、少なくとも２つのチャネル状態情報基準信号（ＣＳＩ−ＲＳ）リソースのセット内の第１ＣＳＩ−ＲＳリソースで第１ＣＳＩ−ＲＳを、かつ、第２アンテナサブセットから、少なくとも２つのＣＳＩ−ＲＳリソースの前記セット内の第２ＣＳＩ−ＲＳリソースで第２ＣＳＩ−ＲＳを、ユーザ装置に送信する（９５４）ことであって、前記第１アンテナサブセット及び前記第２アンテナサブセットは、それぞれ、空間的に多重化されたレイヤの第１セット及び第２セットを含み、レイヤの前記第１セット及び前記第２セットは異なる、前記送信することと、
前記ユーザ装置から、前記第１ＣＳＩ−ＲＳリソースに関連付けられた第１優先プリコーダ行列と、前記第２ＣＳＩ−ＲＳリソースに関連付けられた第２優先プリコーダ行列と、を含むＣＳＩレポートを受信する（９５６）ことと、
を含む方法。
【請求項３６】
請求項３５に記載の方法であって、
レイヤの前記第１セットに関連付けられた送信及びレイヤの前記第２セットに関連付けられた送信は相互に干渉する、方法。
【請求項３７】
請求項３５又は３６に記載の方法であって、
前記ＣＳＩレポートは、さらに、前記第１優先プリコーダ行列及び前記第２優先プリコーダ行列のそれぞれに関連付けられたチャネル品質インジケータ（ＣＱＩ）を含む、方法。
【請求項３８】
請求項３５から３７のいずれか１項に記載の方法であって、
前記第１アンテナサブセット及び前記第２アンテナサブセットは、異なる送信ポイントに属する、方法。
【請求項３９】
請求項３５から３８のいずれか１項に記載の方法であって、
前記第１アンテナサブセット及び前記第２アンテナサブセットは、同じ送信ポイントの異なるアンテナパネルに属する、方法。
【請求項４０】
請求項３５から３９のいずれか１項に記載の方法であって、
前記ＣＳＩレポートを受信することは、前記第１ＣＳＩ−ＲＳリソースに関連付けられた前記第１優先プリコーダ行列を含む第１メッセージを受信することと、前記第２ＣＳＩ−ＲＳリソースに関連付けられた前記第２優先プリコーダ行列を含む第２メッセージを受信することと、を含む方法。
【請求項４１】
請求項３５から４０のいずれか１項に記載の方法であって、
各ＣＳＩ−ＲＳリソースは、
アンテナポート数（Ｐ）と、
垂直パネル数（Ｍｇ）及び水平パネル数（Ｎｇ）でパラメータ化されたマルチパネルアンテナアレイポートレイアウトと、
プリコーダコードブックと、
の内の少なくとも１つに関連付けられる、方法。
【請求項４２】
請求項３５から４１のいずれか１項に記載の方法であって、
各ＣＳＩ−ＲＳリソースは、異なる疑似コロケーション（ＱＬＣ）仮定に関連付けられる、方法。
【請求項４３】
請求項３５から４２のいずれか１項に記載の方法であって、さらに、
ＣＳＩ−ＲＳリソースの組み合わせの可能な仮定を含むＣＳＩレポート構成を前記ユーザ装置に送信する（９５２）こと、を含む方法。
【請求項４４】
請求項３５から４３のいずれか１項に記載の方法であって、さらに、
前記ＣＱＩを決定するときに使用するコードワードからレイヤへのマッピングの表示を前記ユーザ装置に送信する（９５２）こと、を含む方法。
【請求項４５】
請求項３５から４４のいずれか１項に記載の方法であって、
復調基準信号（ＤＭＲＳ）アンテナポートのセットには、７〜１４の番号が付与され、
ＣＳＩ−ＲＳアンテナポートのセットには、１５〜３１の番号が付与され、
アンテナポート｛ｐｋ，ｐｋ＋１｝上、ここでｐｋ＝７＋Σｋ−１ｌ＝１ｖ１、の物理下りリンク共有チャネル（ＰＤＳＣＨ）信号のセットは、
【数７】
2020523885.tif 000023
ここで、
【数８】
2020523885.tif 000024
は、シンボルのベクトルであり、ｖＴＯＴ＝ΣＫｋ＝１ｖｋである、
で与えられる、Ｋ個のＣＳＩ−ＲＳリソースのセットのＣＳＩ−ＲＳリソースｋに対応するアンテナポート｛１５，・・・，１４＋Ｐｋ｝で送信される対応するシンボルと同等の信号であり、各シンボルは、前記ユーザ装置に送信されるレイヤに対応し、前記ＰＤＳＣＨを送信する総てのレイヤを含む、方法。
【請求項４６】
請求項３５から４４のいずれか１項に記載の方法であって、
前記選択されたＣＳＩ−ＲＳリソースのインデックスｋを有するＣＳＩ−ＲＳリソースに対して前記決定された優先プリコーダは、ｙ＝Ｗｋｘに従って前記ユーザ装置に送信される物理下りリンク共有チャネル（ＰＤＳＣＨ）信号のベクトルｘのレイヤのセットでＷｋを使用することに等しい送信ベクトルｙに従って決定される行列Ｗｋであり、ｙは、インデックスｋの前記ＣＳＩ−ＲＳリソースに対応するアンテナポート上での送信である、方法。
【請求項４７】
請求項３５から４４のいずれか１項に記載の方法であって、
前記ＰＤＳＣＨ信号は、第１ポート番号Ｄ１で始まるインデックスが付与されたｖｋ個の復調基準信号（ＤＭＲＳ）アンテナポートのセット上にあり、
インデックスｋの前記ＣＳＩ−ＲＳリソースは、Ｐｋ個のアンテナポートを含み、インデックスＣ１が付与された第１アンテナポートを含み、
アンテナポート｛ｑｋ，ｑｋ＋１｝上の前記ＰＤＳＣＨ信号、ここで、ｑｋ＝Ｄ１＋Σｋ−１ｌ＝１ｖ１は、
【数９】
2020523885.tif 000025
で与えられる、ＣＳＩ−ＲＳリソースｋに対応するアンテナポート｛Ｃ１，・・・，Ｃ１＋Ｐｋ｝での送信に相当する信号である、方法。
【請求項４８】
無線通信システム（１００）のネットワークノード（１２０）であって、
前記ネットワークノードは、処理回路（１１２０）を備え、
前記処理回路は、
第１アンテナサブセットから、少なくとも２つのチャネル状態情報基準信号（ＣＳＩ−ＲＳ）リソースのセット内の第１ＣＳＩ−ＲＳリソースで第１ＣＳＩ−ＲＳを、かつ、第２アンテナサブセットから、少なくとも２つのＣＳＩ−ＲＳリソースの前記セット内の第２ＣＳＩ−ＲＳリソースで第２ＣＳＩ−ＲＳを、ユーザ装置（１１０）に送信し、前記第１アンテナサブセット及び前記第２アンテナサブセットは、それぞれ、空間的に多重化されたレイヤの第１セット及び第２セットを含み、レイヤの前記第１セット及び前記第２セットは異なる、前記送信し、
前記ユーザ装置から、前記第１ＣＳＩ−ＲＳリソースに関連付けられた第１優先プリコーダ行列と、前記第２ＣＳＩ−ＲＳリソースに関連付けられた第２優先プリコーダ行列と、を含むＣＳＩレポートを受信する様に動作可能である、ネットワークノード。
【請求項４９】
請求項４８に記載のネットワークノードであって、
レイヤの前記第１セットに関連付けられた送信及びレイヤの前記第２セットに関連付けられた送信は相互に干渉する、ネットワークノード。
【請求項５０】
請求項４８又は４９に記載のネットワークノードであって、
前記ＣＳＩレポートは、さらに、前記第１優先プリコーダ行列及び前記第２優先プリコーダ行列それぞれに関連付けられたチャネル品質インジケータ（ＣＱＩ）を含む、ネットワークノード。
【請求項５１】
請求項４８から５０のいずれか１項に記載のネットワークノードであって、
前記アンテナサブセットは、異なる送信ポイントに属する、ネットワークノード。
【請求項５２】
請求項４８から５０のいずれか１項に記載のネットワークノードであって、
前記アンテナサブセットは、同じ送信ポイントの異なるアンテナパネルに属する、ネットワークノード。
【請求項５３】
請求項４８から５２のいずれか１項に記載のネットワークノードであって、
前記処理回路は、前記第１ＣＳＩ−ＲＳリソースに関連付けられた前記第１優先プリコーダ行列を含む第１メッセージを受信し、前記第２ＣＳＩ−ＲＳリソースに関連付けられた前記第２優先プリコーダ行列を含む第２メッセージを受信することにより、前記ＣＳＩレポートを受信する様に動作可能である、ネットワークノード。
【請求項５４】
請求項４８から５３のいずれか１項に記載のネットワークノードであって、
各ＣＳＩ−ＲＳリソースは、
アンテナポート数（Ｐ）と、
垂直パネル数（Ｍｇ）及び水平パネル数（Ｎｇ）でパラメータ化されたマルチパネルアンテナアレイポートレイアウトと、
プリコーダコードブックと、
の内の少なくとも１つに関連付けられる、ネットワークノード。
【請求項５５】
請求項４８から５４のいずれか１項に記載のネットワークノードであって、
各ＣＳＩ−ＲＳリソースは、異なる疑似コロケーション（ＱＬＣ）仮定に関連付けられる、ネットワークノード。
【請求項５６】
請求項４８から５５いずれか１項に記載のネットワークノードであって、
前記処理回路は、さらに、ＣＳＩ−ＲＳリソースの組み合わせの可能な仮定を含むＣＳＩレポート構成を前記ユーザ装置に送信する様に動作可能である、ネットワークノード。
【請求項５７】
請求項４８から５６のいずれか１項に記載のネットワークノードであって、
前記処理回路は、さらに、前記ＣＱＩを決定するときに使用するコードワードからレイヤへのマッピングの表示を前記ユーザ装置に送信する様に動作可能である、ネットワークノード。
【請求項５８】
請求項４８から５７のいずれか１項に記載のネットワークノードであって、
復調基準信号（ＤＭＲＳ）アンテナポートのセットには、７〜１４の番号が付与され、
ＣＳＩ−ＲＳアンテナポートのセットには、１５〜３１の番号が付与され、
アンテナポート｛ｐｋ，ｐｋ＋１｝上、ここでｐｋ＝７＋Σｋ−１ｌ＝１ｖ１、の物理下りリンク共有チャネル（ＰＤＳＣＨ）信号のセットは、
【数１０】
2020523885.tif 000026
ここで、
【数１１】
2020523885.tif 000027
は、シンボルのベクトルであり、ｖＴＯＴ＝ΣＫｋ＝１ｖｋである、
で与えられる、Ｋ個のＣＳＩ−ＲＳリソースのセットのＣＳＩ−ＲＳリソースｋに対応するアンテナポート｛１５，・・・，１４＋Ｐｋ｝で送信される対応するシンボルと同等の信号であり、各シンボルは、前記ユーザ装置に送信されるレイヤに対応し、前記ＰＤＳＣＨを送信する総てのレイヤを含む、ネットワークノード
【請求項５９】
請求項４８から５７のいずれか１項に記載のネットワークノードであって、
前記選択されたＣＳＩ−ＲＳリソースのインデックスｋを有するＣＳＩ−ＲＳリソースに対して前記決定された優先プリコーダは、ｙ＝Ｗｋｘに従って前記ユーザ装置に送信される物理下りリンク共有チャネル（ＰＤＳＣＨ）信号のベクトルｘのレイヤのセットでＷｋを使用することに等しい送信ベクトルｙに従って決定される行列Ｗｋであり、ｙは、インデックスｋの前記ＣＳＩ−ＲＳリソースに対応するアンテナポート上での送信である、ネットワークノード。
【請求項６０】
請求項４８から５７のいずれか１項に記載のネットワークノードであって、
前記ＰＤＳＣＨ信号は、第１ポート番号Ｄ１で始まるインデックスが付与されたｖｋ個の復調基準信号（ＤＭＲＳ）アンテナポートのセット上にあり、
インデックスｋの前記ＣＳＩ−ＲＳリソースは、Ｐｋ個のアンテナポートを含み、インデックスＣ１が付与された第１アンテナポートを含み、
アンテナポート｛ｑｋ，ｑｋ＋１｝上の前記ＰＤＳＣＨ信号、ここで、ｑｋ＝Ｄ１＋Σｋ−１ｌ＝１ｖ１は、
【数１２】
2020523885.tif 000028
で与えられる、ＣＳＩ−ＲＳリソースｋに対応するアンテナポート｛Ｃ１，・・・，Ｃ１＋Ｐｋ｝での送信に相当する信号である、ネットワークノード。
【請求項６１】
プロセッサによって実行されると、請求項１から１７のいずれか１項に記載の方法を実行する命令を含むコンピュータプログラム、プログラム製品、又は、非一時的なコンピュータ可読媒体。
【請求項６２】
プロセッサによって実行されると、請求項３５から４７のいずれか１項に記載の方法を実行する命令を含むコンピュータプログラム、プログラム製品、又は、非一時的なコンピュータ可読媒体。
【発明の詳細な説明】
【技術分野】
【０００１】
特定の実施形態は、それぞれが空間的に多重化されたレイヤに関連付けられた基準信号リソースのための無線通信システムにおけるチャネル状態情報に関する。
【背景技術】
【０００２】
次世代モバイル無線通信システム（５Ｇ）又はニューレディオ（ＮＲ）は、様々なユースケースセット及び様々な配置シナリオセットをサポートする。配置シナリオは、ロングタームエボリューション（ＬＴＥ）に似た低周波数（数１００メガヘルツ）と、非常に高い周波数（数十ＧＨｚのミリ波）の両方の配置を含む。
【０００３】
ＬＴＥと同様に、ＮＲは、下りリンク（すなわち、ネットワークノード、ｇＮＢ、ｅＮＢ、又は、基地局からユーザ装置又はＵＥへ）で直交周波数分割多重（ＯＦＤＭ）を使用し得る。上りリンク（つまり、ＵＥからｇＮＢへ）は、離散フーリエ変換（ＤＦＴ）拡散ＯＦＤＭとＯＦＤＭの両方を使用し得る。
【０００４】
したがって、基本的なＮＲ物理リソースは、図１に示すＬＴＥのものと同様の時間−周波数グリッドと見做すことができ、各リソースエレメントは、１つのＯＦＤＭシンボル間隔の１つのＯＦＤＭサブキャリアに対応する。Δｆ＝１５ｋＨｚのサブキャリア間隔が図１に示されているが、ＮＲは様々なサブキャリア間隔値をサポートする。ＮＲでサポートされるサブキャリア間隔値（異なるヌメロロジーとも呼ばれる）は、Δｆ＝（１５×２α）ｋＨｚで与えられ、ここでαは非負の整数である。
【０００５】
ＬＴＥのリソース割り当ては、典型的には、リソースブロック（ＲＢ）で記述され、リソースブロックは、時間領域の１スロット（０．５ｍｓ）及び周波数領域の１２個の連続サブキャリアに対応する。周波数領域においてリソースブロックには、システム帯域幅の一端から０で開始する番号が振られる。３ＧＰＰＬＴＥリリース１４の物理レイヤ手順は、３ＧＰＰ  ＴＳ３６．２１３  Ｖ１４．２．０で規定される。ＮＲの場合、リソースブロックは、周波数領域の１２サブキャリアであるが、時間領域においては異なり得る。ＲＢは、物理ＲＢ（ＰＲＢ）とも呼ばれ得る。物理層の側面に関する３ＧＰＰ  ＮＲの研究は、３ＧＰＰ  ＴＲ３８．８０２  ｖ１４．０．０に記載されている。
【０００６】
時間領域において、ＮＲの下りリンク及び上りリンク送信は、図２に示す様に、ＬＴＥと同様の等しいサイズのサブフレームに編成され得る。ＮＲにおいて、（１５×２α）ｋＨｚの基準ヌメロロジーのサブフレーム長は、正確に１／２αｍｓである。
【０００７】
下りリンク送信は動的にスケジュールされる（つまり、各サブフレームにおいて、ｇＮＢは、どのＵＥデータを送信するか、現在の下りリンクサブフレームのどのリソースブロックでデータを送信するかについての下りリンク制御情報（ＤＣＩ）を送信する）。制御シグナリングは、通常、ＮＲの各サブフレームの最初の１つ又は２つのＯＦＤＭシンボルで送信される。制御情報は、物理制御チャネル（ＰＤＣＣＨ）で送信され、データは物理下りリンク共有チャネル（ＰＤＳＣＨ）で搬送される。ＵＥは、最初にＰＤＣＣＨを検出及び復号し、ＰＤＣＣＨを正常に復号すると、ＵＥは、ＰＤＣＣＨ内の復号された制御情報に基づいて対応するＰＤＳＣＨを復号する。
【０００８】
各ＵＥには、同じサービングセル内で一意のＣ−ＲＮＴＩ（セル無線ネットワーク一時識別子）が割り当てられる。ＵＥのＰＤＣＣＨのＣＲＣ（巡回冗長検査）ビットは、ＵＥのＣ−ＲＮＴＩによってスクランブルされるため、ＵＥは、ＰＤＣＣＨのＣＲＣ（巡回冗長検査）ビットのスクランブルに使用されたＣ−ＲＮＴＩをチェックすることでそのＰＤＣＣＨを認識する。
【０００９】
上りリンクデータ送信も、ＰＤＣＣＨを使用して動的にスケジュールされる。下りリンクと同様に、ＵＥは、まずＰＤＣＣＨで上りリンクグラントを復号し、次に、変調次数、符号化レート、上りリンクリソース割り当て等の、上りリンクグラントで復号された制御情報に基づき、物理上りリンク共有チャネル（ＰＵＳＣＨ）でデータを送信する。
【００１０】
ＬＴＥでは、上りリンクと下りリンクの両方において、半永続的スケジューリング（ＳＰＳ）がサポートされている。定期的なデータ送信のシーケンスは、単一のＰＤＣＣＨによってアクティブ化又は非アクティブ化される。アクティブ化後、データ送信のために送信されるＰＤＣＣＨはない。ＳＰＳにおいて、ＵＥがＳＰＳをサポートする場合、ＳＰＳ−Ｃ−ＲＮＴＩがＵＥに対して設定され、ＰＤＣＣＨのＣＲＣは、ＳＰＳ−Ｃ−ＲＮＴＩによってスクランブルされる。
【００１１】
ＰＵＳＣＨに加えて、ＮＲは、物理上りリンク制御チャネル（ＰＵＣＣＨ）もサポートする。ＰＵＣＣＨは、ＨＡＲＱ（ハイブリッド自動再送要求）に関する肯定応答（ＡＣＫ）、否定応答（ＮＡＣＫ）、又は、チャネル状態情報（ＣＳＩ）フィードバック等の上りリンク制御情報（ＵＣＩ）を搬送する。
【００１２】
ＮＲは、コードブックベースのプリコーディングを含む。マルチアンテナ技術は、無線通信システムのデータレート及び信頼性を非常に増加させることができる。送信機及び受信機の両方がマルチアンテナを有すると、多入力多出力（ＭＩＭＯ）通信チャネルが形成され、パフォーマンスは、特に改善される。その様なシステム及び／又は関連技術は、通常、ＭＩＭＯとして参照される。
【００１３】
ＮＲの１つのコンポーネントは、ＭＩＭＯアンテナ配置とＭＩＭＯ関連技術のサポートである。ＮＲは、チャネル依存のプリコーディングと共に、最大３２又は６４のアンテナポートに対して最大８又は１６レイヤの下りリンク空間多重化をサポートし得る。空間多重化モードは、良好なチャネル条件での高いデータレートを対象とする。空間多重化動作を図３に示す。
【００１４】
図３に示す様に、シンボルベクトルｓを搬送する情報には、ＮＴ×ｒのプリコーダ行列Ｗが乗算され、これは、ＮＴ（ＮＴアンテナポートに対応）次元のベクトル空間の部分空間に送信エネルギを分配する。プリコーダ行列は、通常、可能なプリコーダ行列のコードブックから選択され、通常、プリコーダ行列インジケータ（ＰＭＩ）によって示され、ＰＭＩは、所定数のシンボルストリームに対してコードブック内の一意のプリコーダ行列を指定する。ベクトルｓのｒ個のシンボルはそれぞれレイヤに対応し、ｒは送信ランクと呼ばれる。同じ時間／周波数リソースエレメント（ＴＦＲＥ）で複数のシンボルを同時に送信できるため、空間多重化が実現される。通常、シンボル数ｒは、現在のチャネルプロパティに合わせて調整される。
【００１５】
ＮＲは、下りリンクでＯＦＤＭ（そして、上りリンクでＯＦＤＭ又はＤＦＴプリコーディングされたＯＦＤＭ）を使用する。したがって、サブキャリアｎ上のあるＴＦＲＥ（又はデータＴＦＲＥ番号ｎ）で受信されるＮＲ×１個のベクトルｙｎは、
ｙｎ＝ＨｎＷｓｎ＋ｅｎ        式１
とモデル化される。ここで、ｅｎは、ランダムプロセスを現実化するものとして取得されるノイズ／干渉ベクトルである。プリコーダＷは、周波数に対して一定であるか、周波数選択的である広帯域プリコーダとすることができる。
【００１６】
プリコーダ行列Ｗは、しばしば、ＮＲ×ＮＴのＭＩＭＯチャネル行列Ｈｎの特性に一致する様に選択され、その結果、チャネル依存のプリコーディングとなる。これは一般に閉ループプリコーディングとも呼ばれ、送信エネルギの多くをＵＥに伝達するという意味で強力な部分空間に送信エネルギを集中させる。さらに、プリコーダ行列は、チャネルを直交化するために選択され、これは、ＵＥでの適切な線形等化の後、レイヤ間干渉が減少することを意味する。
【００１７】
ＵＥがプリコーダ行列Ｗを選択する１つの方法例は、仮定の同等チャネル
【００１８】
【数１】
2020523885.tif 000003
【００１９】
のフロベニウスノルムを最大化するＷｋを選択することである。ここで、以下に詳細に説明する様に、Ｈ^ｎは、ＣＳＩ−ＲＳから派生し得るチャネル推定値である。Ｗｋは、インデックスｋの仮定のプリコーダ行列である。Ｈ^ｎＷｋは、仮定の同等チャネルである。
【００２０】
ＮＲ下りリンクの閉ループプリコーディングにおいて、ＵＥは、順方向リンク（下りリンク）のチャネル測定に基づいて、使用する適切なプリコーダの推奨をｇノードＢに送信する。ｇノードＢは、ＵＥの送信モードに従ってフィードバックを提供する様にＵＥを構成し、ＣＳＩ−ＲＳを送信し、ＣＳＩ−ＲＳの測定値を使用してＵＥがコードブックから選択する推奨プリコーディング行列をフィードバックする様にＵＥを構成する。
【００２１】
広い帯域幅をカバーする単一のプリコーダ（広帯域プリコーディング）がフィードバックされ得る。チャネルの周波数変動を一致させ、代わりに周波数選択プリコーディングレポート（例えば、幾つかのプリコーダ、サブバンドごとに１つ）をフィードバックすることも有益であり得る。これは、チャネル状態情報（ＣＳＩ）フィードバックのより一般的な例であり、これには、ＵＥへの後続の送信でｅノードＢを支援するための推奨プリコーダ以外の情報のフィードバックも含まれる。そのような他の情報は、チャネル品質インジケータ（ＣＱＩ）と送信ランクインジケータ（ＲＩ）を含み得る。
【００２２】
ＵＥからのＣＳＩフィードバックが与えられると、ｇノードＢは、プリコーディング行列、送信ランク、変調及び符号化状態（ＭＣＳ）等、ＵＥへの送信に使用することを望む送信パラメータを決定する。これらの送信パラメータは、ＵＥが推奨するものとは異なる場合があり得る。したがって、ランクインジケータとＭＣＳは下りリンク制御情報（ＤＣＩ）で通知され、プリコーディング行列はＤＣＩで通知される、或いは、ｇノードＢは、同等のチャネルを測定できる復調基準信号を送信できる。送信ランク、したがって空間的に多重化されたレイヤ数は、プリコーダＷの列数に反映される。効率的なパフォーマンスのため、チャネルプロパティに一致する送信ランクを選択することが重要である。
【００２３】
ＬＴＥは、（ａ）シングルアンテナポート法、（ｂ）送信ダイバーシティ法、（ｃ）大遅延ＣＤＤ（サイクリック遅延ダイバーシティ）法、（ｄ）閉ループ空間多重化法（ｅ）、マルチユーザＭＩＭＯ（多入力多出力）法、（ｆ）二重レイヤ法、及び、（ｇ）８レイヤまでの送信法といった、複数の送信方式を含む。さらに、ＬＴＥは、１０の送信モード（ＴＭ）（つまり、モード１からモード１０）を含む。
【００２４】
各送信モードは、送信方式に関連付けられる。ＵＥは、１つの送信モードで半静的に構成される。各送信モードにおいて、ＣＳＩの内容は一般的に異なる。
【００２５】
例えば、ＴＭ３は一般に開ループ送信モードと呼ばれる大遅延ＣＤＤ法に関連付けられる。ＴＭ３において、プリコーダ行列インジケータ（ＰＭＩ）は、ＣＳＩでレポートされず、ランク１又はランク２に関係なく１つのチャネル品質表示（ＣＱＩ）のみがレポートされる。
【００２６】
ＴＭ４は、一般に閉ループ送信モードと呼ばれる閉ループ空間多重化方式に関連付けられる。ＣＳＩレポートは、ＰＭＩ、ランクインジケータ（ＲＩ）及びＣＱＩを含む。
【００２７】
ＴＭ９は"最大８レイヤの送信方式"に関連付けられており、このＴＭのＣＳＩレポートは、ＲＩ、ＰＭＩ及びＣＱＩを含む。ただし、ＬＴＥ  Ｒｅｌ−１４において、セミ開ループ送信と高度なＣＳＩコードブックがＴＭ９及び１０に導入された。ＣＳＩの内容はそれぞれの場合で異なる。セミ開ループの場合、使用されるアンテナとコードブックの数に応じて、ＰＭＩがフィードバックされないか、部分的なＰＭＩがフィードバックされる。高度なコードブックベースＣＳＩの場合、より高い解像度のＣＳＩがＵＥから基地局にフィードバックされ、フィードバックするＣＳＩビットが増える。
【００２８】
ＴＭ１０は"最大８レイヤの送信方式"にも関連付けられるが、複数のサービング送信ポイント又はセルのＣＳＩフィードバックをサポートできるため、ＣｏＭＰ（協調複数送信ポイント）モードとしばしば呼ばれる。一般に、ＣＳＩのコンテンツとペイロードサイズは、ＴＭごとに異なる。
【００２９】
ＬＴＥと同様に、ＮＲは、ＵＥでの下りリンクチャネル推定のために、ｇＮＢの各アンテナポートから一意の基準信号を送信する。下りリンクチャネル推定の基準信号は、一般にチャネル状態情報基準信号（ＣＳＩ−ＲＳ）と呼ばれる。Ｎ個のアンテナポートの場合、それぞれが１つのアンテナポートに関連付けられるＮ個のＣＳＩ−ＲＳ信号がある。
【００３０】
ＣＳＩ−ＲＳを測定することにより、ＵＥは、ｇＮＢとＵＥの両方において、無線伝搬チャネルとアンテナゲインを含む、ＣＳＩ−ＲＳが通過している有効チャネルを推定できる。数学的に、既知のＣＳＩ−ＲＳ信号ｘｉ（ｉ＝１，２，・・・，Ｎｔｘ）がｇＮＢのｉ番目の送信アンテナポートで送信される場合、ＵＥのｊ番目の受信アンテナポートでの受信信号ｙｊ（ｊ＝１，２，・・・，Ｎｒｘ）は、
ｙｊ＝ｈｉ，ｊｘｉ＋ｎｊ
と表現され得る。ここで、ｈｉ，ｊはｉ番目の送信アンテナポートとｊ番目の受信アンテナポート間の有効チャネルであり、ｎｊはｊ番目の受信アンテナポートに関連付けられた受信機ノイズであり、ＮｔｘはｇＮＢの送信アンテナポート数であり、ＮｒｘはＵＥでの受信アンテナポート数である。
【００３１】
ＵＥは、Ｎｒｘ×Ｎｔｘ有効チャネル行列Ｈ（Ｈ（ｉ，ｊ）＝ｈｉ，ｊ）、したがって、チャネルランク、プリコーディング行列及びチャネル品質を推定できる。これは、ランクごとに事前設計されたコードブックを使用することで実現され、コードブック内の各コードワードはプリコーディング行列候補である。ＵＥはコードブックを検索して、ランク、ランクに関連付けられたコードワード、及び、ランクに関連付けられたチャネル品質と、有効なチャネルに最もよく一致するプリコーディング行列と、を見つける。ランク、プリコーディング行列、及び、チャネル品質は、ＣＳＩフィードバックの一部として、ランクインジケータ（ＲＩ）、プリコーディング行列インジケータ（ＰＭＩ）、及び、チャネル品質インジケータ（ＣＱＩ）の形式でレポートされる。これは、チャネル依存プリコーディング又は閉ループプリコーディングとも呼ばれ得る。このようなプリコーディングは、送信エネルギの多くをＵＥに伝えるという意味で強力な部分空間に送信エネルギを集中させようとする。
【００３２】
ＣＳＩ−ＲＳ信号は、アンテナポートに関連付けられた時間−周波数リソースエレメント（ＲＥ）のセットで送信される。システム帯域幅に渡るチャネル推定のため、ＣＳＩ−ＲＳは、通常、システム帯域幅全体で送信される。ＣＳＩ−ＲＳ送信に使用されるＲＥのセットは、ＣＳＩ−ＲＳリソースと呼ばれる。ＵＥの観点から見ると、アンテナポートは、ＵＥがチャネルの測定に使用するＣＳＩ−ＲＳと同等である。ＮＲでは、最大３２（つまり、Ｎｔｘ＝３２）のアンテナポートがサポートされているため、ＣＳＩ−ＲＳリソースでＵＥに対して３２のＣＳＩ−ＲＳ信号を設定できる。
【００３３】
ＮＲは、閉ループ送信用の２種類のＣＳＩフィードバック（つまり、タイプＩとタイプＩＩ）をサポートする。タイプＩは、シングルユーザＭＩＭＯ（ＳＵ−ＭＩＭＯ）送信を対象とした通常解像度のコードブックベースのＰＭＩフィードバックである。タイプＩＩは、マルチユーザＭＩＭＯ（ＭＵ−ＭＩＭＯ）送信をターゲットとした高解像度の拡張ＣＳＩフィードバックである。
【００３４】
２つのフィードバックタイプ用に２つの異なるコードブックがデザインされ得る。タイプＩＩフィードバックは、タイプＩよりも多くのビットをＰＭＩフィードバックに使用し得る。
【００３５】
ＬＴＥにおいて、ＵＥは、周期的又は非周期的なレポートモードでＣＳＩをレポートする様に構成され得る。周期的なＣＳＩレポートは、ＰＵＣＣＨで搬送されるが、非周期的なＣＳＩは、ＰＵＳＣＨで搬送される。ＰＵＣＣＨは、固定又は設定された数のＰＲＢで送信され、直交位相シフトキーイング（ＱＰＳＫ）変調の単一の空間レイヤを使用する。非周期的なＣＳＩレポートを搬送するＰＵＳＣＨリソースは、ＰＤＣＣＨ又は拡張ＰＤＣＣＨ（ＥＰＤＣＣＨ）を介して搬送される上りリンクグラントを介して動的に割り当てられ、可変数のＰＲＢを占有し、ＱＰＳＫ、１６ＱＡＭ、６４ＱＡＭ等の変調状態、及び、複数の空間レイヤを使用できる。
【００３６】
ＬＴＥにおいて、ＳＰＳ  ＰＵＳＣＨを含むサブフレームと同じサブフレームに対して周期的なＣＳＩレポートをスケジュールでき、この場合、周期的なＣＳＩレポートは、ＰＵＳＣＨにピギーバックされる。これによりリンクアダプテーションを使用して周期的なＣＳＩを送信できるので、周期的なＣＳＩは、ＰＵＣＣＨ（常に固定数のリソースでＱＰＳＫを使用）よりもスペクトル効率の高い方法で送信できる。ただし、周期的なＣＳＩレポートは、ＰＵＣＣＨの小さなペイロードに収まる様に形成されるため、例えばコードブックサブサンプリングを使用してＰＵＳＣＨにピギーバックする場合でも、より少ない情報しか運べないことになる。対照的に、ＰＵＳＣＨでの非周期的なＣＳＩレポートは、ＣＳＩフィードバックの完全な解像度を使用し、サブサンプリングされない。さらに、ＬＴＥでの周期的なＣＳＩレポートでは、少なくとも１つのＰＵＣＣＨリソースをＵＥに設定する必要があり、これは、周期的なＣＳＩが常にＰＵＳＣＨで搬送される場合でも予約済みで未使用のＰＵＣＣＨリソースを無駄にする。したがって、ＬＴＥは半永続的なリソース割り当てを使用してＰＵＳＣＨで周期的なＣＳＩを送信できるが、そのようなＣＳＩは一般にＰＵＳＣＨでの非周期的なＣＳＩよりも正確ではない。
【００３７】
ＬＴＥにおいて、ＰＤＣＣＨの上りリンクグラントは、ＵＬ−ＳＣＨ、ＣＳＩ（ＲＩ、ＣＲＩ、ＲＰＩ、ＣＱＩ及びＰＭＩを含む）、及び、ＨＡＲＱ−ＡＣＫを含む、ＰＵＳＣＨで搬送されるすべてのコンテンツに単一のリソースを割り当てる。メッセージのサイズは、ＣＳＩがＰＵＳＣＨにピギーバックされるときにレポートされたＲＩ、ＣＲＩ、及び／又は、ＲＰＩに従って決定されるため、ｅＮＢは、上りリンクグラント時に上りリンクＣＳＩのサイズがどの様であるかを知らない。したがって、ｅＮＢは、ＣＳＩと他のコンテンツの両方がＰＵＳＣＨリソースに収まる様に追加のリソースを割り当てる必要がある。また、ＰＵＳＣＨ上のＣＳＩは、各セル、ＣＳＩプロセス、及び／又は、ｅＭＩＭＯタイプの完全なＣＳＩメッセージを常に搬送することに留意すべきである。セル、ＣＳＩプロセス、及び／又は、ｅＭＩＭＯタイプについてレポートされるすべての設定パラメータ（すなわち、ＲＩ、ＣＲＩ、ＲＰＩ、ＣＱＩ、ＰＭＩの１つ以上）は、ＰＵＳＣＨでの１回の送信で一緒にレポートされる。
【００３８】
ＵＥは、通常、周期的にレポートされるか非周期的にレポートされるかに拘わらず、新しいＣＳＩレポートに更新することが要求される。ただし、生成されるＣＳＩレポートの数がＣＳＩプロセスの数より多い場合、ＵＥは、ＵＥでの計算の複雑さを制限するため、ＣＳＩレポートを更新する必要はない。ただし、これはＵＥがレポートの更新を禁止されていることを意味しないため、この場合、ＣＳＩレポートが以前に送信されたレポートと同一かどうかは不明である。
【００３９】
ＬＴＥにおいては、クラスＢのｅＭＩＭＯタイプが使用されている場合、ＵＥは、下りリンクＣＳＩ取得の目的で複数のＣＳＩ−ＲＳリソースを使用して構成され得る。ＣＳＩ−ＲＳリソースは、時間−周波数リソースグリッド内の特定の位置にある特定の数のＣＳＩ−ＲＳによって定義され、特定の疑似コロケーション（ＱＣＬ）仮定と、別の基準信号に対する相対電力レベルに関連付けられ得る。クラスＢのオペレーションにおいて、各ＣＳＩ−ＲＳリソースのＣＳＩ−ＲＳは、通常、異なる送信ビームを形成するために異なるプリコーディングウェイトでプリコーディングされる。ＣＳＩレポート手順の一部として、ＵＥは、ＣＳＩ−ＲＳリソースインジケータ（ＣＲＩ）と共に、好ましい送信ビームに対応する好ましいＣＳＩ−ＲＳリソースを選択し得る。ＵＥは、プリコーダ検索を実行することにより、選択したＣＳＩ−ＲＳリソースに対して適切なＰＭＩ、ＲＩ、及び、対応するＣＱＩを決定する。したがって、ＵＥは、まず最良のＣＳＩ−ＲＳリソースを選択し、次に選択されたＣＳＩ−ＲＳリソース内でプリコーダコードブックを適用する。
【００４０】
ＮＲにおいて、Ｎ≧１のＣＳＩレポート設定、Ｍ≧１のリソース設定、及び、１つのＣＳＩ測定設定でＵＥを構成でき、ＣＳＩ測定設定にはＬ≧１のリンクが含まれ、Ｌの値はＵＥの機能に依存し得る。少なくとも以下の構成パラメータは、少なくともＣＳＩ取得のためにＲＲＣ経由で通知される。
【００４１】
Ｎ、Ｍ及びＬは、暗黙的又は明示的に示される。各ＣＳＩレポート設定は、（ａ）レポートされたＣＳＩパラメータ、（ｂ）レポートされた場合、ＣＳＩタイプ（Ｉ又はＩＩ）、（ｃ）コードブックサブセット制限を含むコードブック構成、（ｄ）時間領域の挙動、（ｅ）ＣＱＩ及びＰＭＩの周波数粒度、（ｆ）測定制限の構成を少なくとも含み得る。
【００４２】
各リソース設定は、（ａ）Ｓ≧１のＣＳＩ−ＲＳリソースセットの構成、（ｂ）少なくともＲＥへのマッピング、ポート数、時間領域での動作等を含む、各セットに対してＫｓ≧１のＣＳＩ−ＲＳリソースの構成、（ｃ）非周期的、周期的又は半永続的等の時間領域での挙動、（ｄ）少なくともＣＳＩ−ＲＳを含むＲＳタイプ、を含み得る。
【００４３】
ＣＳＩ測定設定のＬリンクのそれぞれは、（ａ）ＣＳＩレポート設定表示、（ｂ）リソース設定表示、（ｃ）測定量（チャネル又は干渉のいずれか）、を含み得る。１つのＣＳＩレポート設定は、１つ以上のリソース設定にリンクされ得る。複数のＣＳＩレポート設定がリンクされ得る。
【００４４】
該当する場合、Ｌ１又はＬ２シグナリングによって少なくとも次のものを動的に選択できる。（ａ）ＣＳＩ測定設定内の１つ以上のＣＳＩレポート設定。（ｂ）少なくとも１つのリソース設定から選択された１つ以上のＣＳＩ−ＲＳリソースセット。（ｃ）少なくとも１つのＣＳＩ−ＲＳリソースセットから選択された１つ以上のＣＳＩ−ＲＳリソース。
【００４５】
ＬＴＥ制御シグナリングは、ＰＵＳＣＨ、ＭＡＣ制御要素（ＭＡＣＣＥ）、又は、ＲＲＣシグナリングに埋め込まれたＰＤＣＣＨ又はＰＵＣＣＨで制御情報を送信することを含む、様々な方法で送信され得る。これらのメカニズムのそれぞれは、特定の種類の制御情報を伝達する様にカスタマイズされ得る。
【００４６】
３ＧＰＰＴＳ３６．２１１、３６．２１２及び３６．２１３で説明されている様に、ＰＤＣＣＨ若しくはＰＵＣＣＨで搬送され、又は、ＰＵＳＣＨに埋め込まれた（ピギーバックされた）制御情報は、下りリンク制御情報（ＤＣＩ）、上りリンク制御情報（ＵＣＩ）等の物理レイヤに関連する制御情報である。ＤＣＩは、通常、ＵＥに何らかの物理レイヤ機能を実行するよう指示し、機能を実行するために必要な情報を提供するために使用される。ＵＣＩは、通常、ネットワークに、ＨＡＲＱ−ＡＣＫ、スケジューリング要求（ＳＲ）、ＣＱＩ、ＰＭＩ、ＲＩ及び／又はＣＲＩ等のチャネル状態情報（ＣＳＩ）といった必要な情報を提供する。
【発明の概要】
【発明が解決しようとする課題】
【００４７】
ＵＣＩ及びＤＣＩは、サブフレームごとに送信でき、高速フェージング無線チャネルで変化する可能性があるものを含む、急速に変化するパラメータをサポートする。ＵＣＩ及びＤＣＩは、すべてのサブフレームで送信できるため、特定のセルに対応するＵＣＩ又はＤＣＩは、制御オーバヘッドの量を制限するために数十ビットのオーダーになる傾向がある。
【００４８】
ＭＡＣ  ＣＥで搬送される制御情報は、３ＧＰＰ  ＴＳ３６．３２１で説明されている様に、上りリンク及び下りリンク共有トランスポートチャネル（ＵＬ−ＳＣＨ及びＤＬ−ＳＣＨ）のＭＡＣヘッダで送信される。ＭＡＣヘッダのサイズは固定されていないため、ＭＡＣ  ＣＥの制御情報は必要なときに送信でき、必ずしも固定オーバヘッドを表すとは限らない。
【００４９】
さらに、ＭＡＣ  ＣＥは、リンク適応、ＨＡＲＱの恩恵を受け、ターボ符号化できるＵＬ−ＳＣＨ又はＤＬ−ＳＣＨトランスポートチャネルで送信されるため、ＭＡＣ  ＣＥはより大きな制御ペイロードを効率的に送信できる。ＭＡＣ  ＣＥは、タイミングアドバンスの維持やバッファ状態レポート等、パラメータの固定セットを使用する反復タスクを実行するために使用されるが、これらのタスクは、通常、サブフレーム毎のＭＡＣ  ＣＥで送信する必要はない。その結果、ＰＭＩ、ＣＱＩ、ＲＩ、ＣＲＩ等の高速フェージング無線チャネルに関連するチャネル状態情報は、Ｒｅｌ−１４までのＬＴＥにおいてはＭＡＣ  ＣＥで送信されない。
【００５０】
本明細書で説明される実施形態は、二次元アンテナアレイとともに使用でき、提示される実施形態のいくつかは、そのようなアンテナを使用する。そのようなアンテナアレイは、（部分的に）水平次元に対応するアンテナ列数Ｎｈと垂直次元に対応するアンテナ行数Ｎｖと、異なる偏波に対応する次元数Ｎｐによって記述される。アンテナの合計数は、この様に、Ｎ＝ＮｈＮｖＮｐである。アンテナの概念は、物理アンテナ要素の任意の仮想化（線形マッピング等）を参照できるという意味で非制限的である。例えば、物理サブ要素のペアに同じ信号を供給し、同じ仮想アンテナポートを共有できる。交差偏波アンテナ要素を備えた４×４アレイの例を図４に示す。
【００５１】
図４は、Ｎｈ＝４の水平アンテナ要素及びＮｖ＝４の垂直アンテナ要素で、交差偏波アンテナ要素（Ｎｐ＝２）の２次元アンテナアレイを示している。プリコーディングは、送信前に各アンテナの異なるビーム形成重みで信号を乗算することとして解釈され得る。典型的なアプローチは、プリコーダをアンテナフォームファクタに合わせて調整することである（つまり、プリコーダコードブックを設計するときに、Ｎｈ、Ｎｖ及びＮｐを考慮する）。その様な２次元コードブックは、垂直又は水平の次元をアンテナポートが関連付けられている次元に厳密に関連付けていない場合がある。したがって、２次元コードブックは、第１及び第２アンテナポートＮ１及びＮ２を有すると見做され、ここで、Ｎ１は水平又は垂直のいずれかの次元に対応し、Ｎ２は残りの次元に対応する。つまり、Ｎ１＝ＮｈであるとＮ２＝Ｎｖであり、Ｎ１＝Ｎｖであると、Ｎ２＝Ｎｈである。同様に、２次元コードブックは、アンテナポートを偏波に厳密に関連付けない場合があり、以下で説明する様に、２つのビーム又は２つのアンテナポートを結合するために使用するコフェージングメカニズムを使用して設計できる。
【００５２】
一部の送信機は、マルチパネルアンテナアレイを含み得る。非常に大きなアンテナアレイを構築する場合、すべてのハードウェアコンポーネントを単一のアンテナパネルに収めることが困難な場合がある。１つの構築方法は、モジュラアプローチを使用し、（上述した）複数のアンテナパネルで構成されるマルチパネルアンテナアレイを構築することである。一般的な場合、第１パネルの右端のアンテナ要素と、第１パネルの右側に配置された第２パネルの左端のアンテナ要素との間の間隔は、パネル内のアンテナ要素間の間隔より大きくすることができ、不均一なマルチパネル配列に対応する。一般に、アンテナ要素間のシームレスなコヒーレント送信に必要な厳密なキャリブレーションは各パネル内でのみ行われると想定されているため、マルチパネルアレイの異なるパネルのキャリブレーションを解除できる。そのため、パネル間に周波数オフセット、タイミングのずれ、ＬＯ位相オフセットが存在する場合がある。
【００５３】
マルチパネル配列は、例えば、垂直パネル数Ｍｇと、水平パネルの数Ｎｇと、構成パネルＭ、Ｎ及びＰのサイズでパラメータ化できる。マルチパネルアンテナアレイの例を図５に示し、これは、（Ｍ，Ｎ，Ｐ）＝（４，４，２）パネルで構成されるサイズＭｇ×Ｎｇ＝２×２のマルチパネルアンテナアレイを示している。
【００５４】
一般的なタイプのプリコーディングは、ＤＦＴプリコーダを使用し、ここで、Ｎ１アンテナを備えた単一偏波均一線形アレイ（ＵＬＡ）を使用した単一レイヤ送信のプリコーディングに使用されるプリコーダベクトルは、
【００５５】
【数２】
2020523885.tif 000004
【００５６】
で定義され、ｌ＝０，１，・・・Ｏ１Ｎ１−１はプリコーダインデックスであり、Ｏ１は整数のオーバーサンプリング係数である。
【００５７】
偏波ごとにＮ１アンテナを備えた（したがって全体で２Ｎ１アンテナ）デュアル偏波均一線形アレイ（ＵＬＡ）のプリコーダは、同様に、
【００５８】
【数３】
2020523885.tif 000005
【００５９】
で定義され、ここで、ｅｊφは、例えば、ＱＰＳＫアルファベットφ∈｛０，π／２，π，３π／２｝から選択される２つの偏波間のコフェーズ係数である。
【００６０】
Ｎ１×Ｎ２アンテナを有する２次元均一平面アレイ（ＵＰＡ）の対応するプリコーダベクトルは、ｗ２Ｄ（ｌ，ｍ）＝ｗ１Ｄ（ｌ，Ｎ１，Ｏ１）×ｗ１Ｄ（ｍ，Ｎ２，Ｏ２）とする２つのプリコーダベクトルのクロネッカ積として作成でき、ここで、Ｏ２はＮ２次元の整数のオーバーサンプリング係数である。各プリコーダｗ２Ｄ（ｌ，ｍ）はＤＦＴビームを形成し、すべてのプリコーダ｛ｗ２Ｄ（ｌ，ｍ），ｌ＝０，・・・，Ｎ１Ｏ１−１；ｍ＝０，・・・，Ｎ２Ｏ２−１｝は、ＤＦＴビームのグリッドを形成する。一例を図６に示し、ここで、（Ｎ１，Ｎ２）＝（４，２）及び（Ｏ１，Ｏ２）＝（４，４）である。ここで、"ＤＦＴビーム"及び"ＤＦＴプリコーダ"という用語は互換的に使用され得る。
【００６１】
より一般的には、インデックスペア（ｌ，ｍ）を持つビームは、プリコーディングの重みｗ２Ｄ（ｌ，ｍ）が送信で使用されるときに最大エネルギが送信される方向によって識別できる。また、ＤＦＴビームでマグニチュードテーパを使用して、ビームのサイドローブを下げることができる。マグニチュードテーパを使用する、Ｎ１及びＮ２次元に沿った１次元のＤＦＴプリコーダは、
【００６２】
【数４】
2020523885.tif 000006
【００６３】
と表現でき、ここで、０＜βｉ，γｋ≦１（ｉ＝０，１，・・・，Ｎ１−１；ｋ＝０，１，・・・，Ｎ２−１）は振幅スケーリング係数である。βｉ＝１，γｋ＝１（ｉ＝０，１，・・・，Ｎ１−１；ｋ＝０，１，・・・，Ｎ２−１）は、テーパリング無しに対応する。
【００６４】
ＤＦＴビーム（マグニチュードテーパの有無にかかわらず）には、２つの次元のそれぞれに沿った要素間の線形位相シフトがある。一般性を失うことなく、ｗ（ｌ，ｍ）の要素は、隣接要素が、次元Ｎ２に沿って隣接するアンテナ要素に対応し、間隔Ｎ２を空けたｗ（ｌ，ｍ）の要素が、次元Ｎ１に沿って隣接するアンテナ要素に対応する様に、ｗ（ｌ，ｍ）＝ｗ１Ｄ（ｌ，Ｎ１，Ｏ１，β）×ｗ１Ｄ（ｍ，Ｎ２，Ｏ２，γ）に従い並べられる。次に、ｗ（ｌ，ｍ）の２つの要素ｗｓ１（ｌ，ｍ）とｗｓ２（ｌ，ｍ）の間の位相シフトは、
【００６５】
【数５】
2020523885.tif 000007
【００６６】
と表現でき、ここで、（ａ）ｓ１＝ｉ１Ｎ２＋ｉ２及びｓ２＝ｋ１Ｎ２＋ｋ２（０≦ｉ２＜Ｎ２，０≦ｉ１＜Ｎ１，０≦ｋ２＜Ｎ２，０≦ｋ１＜Ｎ１）は、ビームｗ（ｌ，ｍ）の２つのエントリを識別する整数であるため、（ｉ１，ｉ２）は第１アンテナ要素（又はポート）にマッピングされるビームｗ（ｌ，ｍ）の第１エントリを示し、（ｋ１，ｋ２）は第２アンテナ要素（又はポート）にマッピングされるビームｗ（ｌ，ｍ）の第２エントリを示す。（ｂ）αｓ１＝βｉ１γｉ２及びαｓ２＝βｋ１γｋ２は実数であり、マグニチュードテーパリングが使用される場合、αｉ≠１（ｉ＝ｓ１，ｓ２）である。（ｃ）Δ１＝ｌ／（Ｏ１Ｎ１）は軸（例えば、水平軸又は方位角）に沿った方向に対応する位相シフトである。（ｄ）Δ２＝ｌ／（Ｏ２Ｎ２）は軸（例えば、垂直軸又は仰角）に沿った方向に対応する位相シフトである。
【００６７】
したがって、プリコーダｗ（ｌｋ，ｍｋ）で形成されたｋ番目のビームｄ（ｋ）は、対応するプリコーダｗ（ｌｋ，ｍｋ）、つまり、ｄ（ｋ）＝ｗ（ｌｋ，ｍｋ）によって参照することもできる。したがって、ビームｄ（ｋ）は複素数のセットとして記述でき、セットの各要素は、ビームの要素がビームの他の要素に関連する様に、少なくとも１つの複素位相シフトによって特徴付けられ、ここで、
【００６８】
【数６】
2020523885.tif 000008
【００６９】
であり、ｄｉ（ｋ）はビームｄ（ｋ）のｉ番目の要素であり、αｉ，ｎは、ビームｄ（ｋ）のｉ番目とｎ番目の要素に対応する実数であり、ｐ及びｑは整数であり、Δ１，ｋ及びΔ２，ｋは、複素位相シフトｅｊ２πΔ１，ｋ及びｅｊ２πΔ２，ｋをそれぞれ決定するインデックスペア（ｌｋ，ｍｋ）を持つビームに対応する実数である。インデックスペア（ｌｋ，ｍｋ）は、ＵＰＡ又はＵＬＡで送信又は受信にビームｄ（ｋ）が使用される場合の平面波の到着又は出発の方向に対応する。ビームｄ（ｋ）は、単一のインデックスｋ＝ｌｋ＋Ｎ１Ｏ１ｍｋで識別できる。つまり、最初に垂直又はＮ２次元に沿って、あるいは、代わりにｋ＝Ｎ２Ｏ２ｌｋ＋ｍｋ、つまり、最初に水平又はＮ１次元に沿う。
【００７０】
デュアル偏波ＵＬＡのプリコーダの拡張は、
【００７１】
【数７】
2020523885.tif 000009
【００７２】
で表され得る。
【００７３】
マルチレイヤ送信用のプリコーダ行列Ｗ２Ｄ，ＤＰは、ＤＦＴプリコーダベクトルの列を次の様に追加することで作成できる。
Ｗ２Ｄ，ＤＰ（Ｒ）＝［ｗ２Ｄ，ＤＰ（ｌ１，ｍ１，φ１）  ｗ２Ｄ，ＤＰ（ｌ２，ｍ２，φ２）  ・・・ｗ２Ｄ，ＤＰ（ｌＲ，ｍＲ，φＲ）］
ここで、Ｒは送信レイヤの数、つまり送信ランクである。
【００７４】
ｍ１＝ｍ２＝ｍ及びｌ１＝ｌ２＝ｌであるランク２のＤＦＴプリコーダの特殊なケースでは、
【００７５】
【数８】
2020523885.tif 000010
【００７６】
である。
【００７７】
各ランクについて、すべてのプリコーダ候補が"プリコーダコードブック"又は"コードブック"を形成する。ＵＥは最初に、ＣＳＩ−ＲＳに基づいて推定された下りリンク広帯域チャネルのランクを決定できる。ランクが識別された後、ＵＥは各サブバンドについて、決定されたランクのコードブック内のすべてのプリコーダ候補を検索して、サブバンドに最適なプリコーダを見つける。例えば、ランクが１の場合、ＵＥはすべての可能な（ｋ，ｌ，φ）値のためにｗ２Ｄ，ＤＰ（ｋ，ｌ，φ）を検索する。例えば、ランクが２の場合、ＵＥはすべての可能な（ｋ，ｌ，φ１，φ２）値のためにＷ２Ｄ，ＤＰ（２）（ｋ，ｌ，φ１，φ２）を検索する。
【課題を解決するための手段】
【００７８】
特定の問題は、柔軟な方法で広範囲のアンテナ構成のチャネル状態情報を効率的にサポートしながら、さまざまなアンテナ構成に関連する各ユースケースにおいて個別のチャネル状態情報（ＣＳＩ）フィードバック形式の指定を回避する方法である。下りリンクにおいて、ユーザ装置（ＵＥ）は、複数のアンテナパネルを備えた送信／受信ポイント（ＴＲＰ）によってサービスを提供されるか、それぞれが１つ以上のアンテナパネルを備えた複数のＴＲＰによってサービスされ得る。パネルは異なるポートレイアウトを使用する可能性があるため、異なるプリコーダコードブックに関連付けられることでメリットが得られる。単一のＣＳＩ−ＲＳリソースが複数のパネルのポートで構成されている場合、パネルサイズのさまざまな組み合わせに対応するさまざまなプリコーダコードブックを指定する必要があるが、これは実行可能ではない。
【００７９】
特定の実施形態は、上記の問題を回避する。本明細書で説明する実施形態は、複数のＣＳＩ−ＲＳリソースを測定する様に構成されたユーザ装置（ＵＥ）を含み、各リソースは個別の送信／受信ポイント（ＴＲＰ）又はアンテナパネルに対応する。ＵＥは、非コヒーレントジョイント送信に参加するための複数のチャネル状態情報基準信号（ＣＳＩ−ＲＳ）リソース、ならびに、各ＣＳＩ−ＲＳリソースの優先プリコーダ行列を、相互に干渉する異なるＣＳＩ−ＲＳリソースに対応するレイヤに基づき選択し得る。
【００８０】
幾つかの実施形態によると、方法は、無線通信システムにおいてチャネル状態情報をレポートするためにユーザ装置によって実行される。ユーザ装置は、ＣＳＩ−ＲＳリソースセット内の２つ以上のＣＳＩ−ＲＳリソースで構成される。本方法は、ＣＳＩ−ＲＳリソースセットから少なくとも２つのＣＳＩ−ＲＳリソースを選択することであって、少なくとも２つの選択されたＣＳＩ−ＲＳリソースのそれぞれは、空間多重化レイヤのセットに関連付けられ、異なるセットは異なるレイヤを含む、前記選択することと、選択されたＣＳＩ−ＲＳリソースのそれぞれに対する優先プリコーダ行列を決定することと、選択されたＣＳＩ−ＲＳリソースのそれぞれと選択されたＣＳＩ−ＲＳリソースのそれぞれに対して決定した優先プリコーダ行列を示すＣＳＩレポートを送信することと、を含む。
【００８１】
幾つかの態様において、選択されたＣＳＩ−ＲＳリソースの第１ＣＳＩ−ＲＳリソースは、レイヤの第１セットを含み、選択されたＣＳＩ−ＲＳリソースの第２ＣＳＩ−ＲＳリソースは、レイヤの第２セットを含み、レイヤの第１セット及びレイヤの第２セットは異なり、レイヤの第１セット及び第２セットは相互に干渉する。
【００８２】
本方法は、選択されたＣＳＩ−ＲＳリソースのそれぞれについてチャネル推定値を計算することと、複数の有効チャネルからの仮定送信に対応するチャネル品質インジケータ（ＣＱＩ）を決定することと、をさらに含み得る。有効チャネルは、選択された各ＣＳＩ−ＲＳリソースの優先プリコーダ行列とチャネル推定値に依存する。有効チャネルを介して送信されるレイヤは相互に干渉する。ＣＳＩレポートは、選択されたＣＳＩ−ＲＳリソースのそれぞれについて決定されたＣＱＩをさらに示し得る。
【００８３】
特定の実施形態において、各ＣＳＩ−ＲＳリソースは、アンテナポート数（Ｐ）、垂直パネル数（Ｍｇ）及び水平パネル数（Ｎｇ）によってパラメータ化されたマルチパネルアンテナアレイポートレイアウト、及び、プリコーダコードブックのうちの少なくとも１つに関連付けられる。各ＣＳＩ−ＲＳリソースは、異なる疑似コロケーション（ＱＣＬ）仮定に関連付けられ得る。
【００８４】
特定の実施形態において、ＣＳＩ−ＲＳリソースのセットの各ＣＳＩ−ＲＳリソースで搬送されるＣＳＩ−ＲＳは、異なるアンテナサブセットから送信される。異なるアンテナサブセットは、異なる送信ポイント、又は、同じ送信ポイントの異なるアンテナパネルに属し得る。
【００８５】
特定の実施形態において、本方法はさらに、１つ以上のＣＳＩ−ＲＳリソースの組み合わせの可能な仮定を含むＣＳＩレポート構成を取得することを含む。少なくとも２つのＣＳＩ−ＲＳリソースを選択することは、可能な仮定の選択された１つに従って少なくとも２つのＣＳＩ−ＲＳリソースを選択することを含む。ＣＳＩレポートは、選択された可能な仮定を示すことにより、選択されたＣＳＩ−ＲＳリソースを示す。
【００８６】
特定の実施形態において、ＣＳＩレポートを送信することは、単一メッセージをネットワークノードに送信することを含む。特定の実施形態において、ＣＳＩレポートを送信することは、選択されたＣＳＩ−ＲＳリソースの第１ＣＳＩ−ＲＳリソースに関連付けられた第１メッセージを送信することと、選択されたＣＳＩ−ＲＳリソースの第２ＣＳＩ−ＲＳリソースに関連付けられた第２メッセージを送信することと、を含む。第１メッセージは第１送信ポイントに送信され、第２メッセージは第２送信ポイントに送信され得る。
【００８７】
特定の実施形態において、少なくとも１つの選択されたＣＳＩ−ＲＳに対して決定された優先プリコーダ行列は、第１サブバンドに対する第１優先プリコーダ行列を含む。本方法は、少なくとも１つの選択されたＣＳＩ−ＲＳリソースについて、第２サブバンドに対する第２優先プリコーダ行列を決定することをさらに含み得る。ＣＳＩレポートは、少なくとも１つの選択されたＣＳＩ−ＲＳリソースに対する第１及び第２優先プリコーダ行列を示す。
【００８８】
特定の実施形態において、本方法は、ＣＱＩを判定するときに使用するコードワードからレイヤへのマッピングの表示を受信することをさらに含む。
【００８９】
幾つかの実施形態によると、ユーザ装置は、無線通信システムにおいてチャネル状態情報をレポートすることができる。ユーザ装置は、ＣＳＩ−ＲＳリソースセット内の２つ以上のＣＳＩ−ＲＳリソースで構成される。ユーザ装置は、ＣＳＩ−ＲＳリソースセットから少なくとも２つのＣＳＩ−ＲＳリソースを選択し、選択されたＣＳＩ−ＲＳリソースのそれぞれに対する優先プリコーダ行列を決定し、選択されたＣＳＩ−ＲＳリソースそれぞれと、選択されたＣＳＩ−ＲＳリソースのそれぞれに対して決定した優先プリコーダ行列とを示すＣＳＩレポートを送信する様に動作可能な処理回路（１０２０）を備える。処理回路は、さらに、選択されたＣＳＩ−ＲＳリソースのそれぞれについてチャネル推定値を計算し、複数の有効チャネルからの仮定送信に対応するチャネル品質インジケータ（ＣＱＩ）を決定する様に動作可能であり得る。有効チャネルは、選択された各ＣＳＩ−ＲＳリソースの優先プリコーダ行列とチャネル推定値に依存する。有効チャネルを介して送信されるレイヤは相互に干渉する。ＣＳＩレポートは、選択されたＣＳＩ−ＲＳリソースのそれぞれについて決定されたＣＱＩをさらに示し得る。
【００９０】
特定の利点は、ＣＳＩ−ＲＳに関連付けられたプリコーダ行列とＣＱＩが、特定のＣＳＩ−ＲＳに対して最適化できることである。ＣＳＩレポートは、プリコーダ行列及びＣＱＩとＣＳＩ−ＲＳとの複数の関連付けを含むことができ、それぞれは、関連付けられたＣＳＩ−ＲＳ及び関連付けられた送信ポイント又はアンテナパネルに対して最適化され得る。
【００９１】
特定の実施形態において、処理回路はさらに、１つ以上のＣＳＩ−ＲＳリソースの組み合わせの可能な仮定を含むＣＳＩレポート構成を取得する様に動作可能である。処理回路は、可能な仮定の選択された１つに従って少なくとも２つのＣＳＩ−ＲＳリソースを選択することにより、少なくとも２つのＣＳＩ−ＲＳリソースを選択する様に動作可能である。ＣＳＩレポートは、選択された可能な仮定を示すことにより、選択されたＣＳＩ−ＲＳリソースを示す。
【００９２】
特定の利点は、プロセッサの複雑さとシグナリングが低減されることである。例えば、可能な仮定のセットは、利用可能な仮定の最大数よりも少ない可能性があり、したがって、ユーザ装置が利用できる仮定の数を減らし、選択プロセスを簡素化する。また、仮定インジケータのシグナリングは、特定の仮定に含まれるすべてのリソースのシグナリング識別子よりも少ないシグナリングビットを使用する。
【００９３】
特定の実施形態において、処理回路は、単一メッセージをネットワークノードに送信することにより、ＣＳＩレポートを送信する様に動作可能である。処理回路は、選択されたＣＳＩ−ＲＳリソースの第１ＣＳＩ−ＲＳリソースに関連付けられた第１メッセージを送信し、選択されたＣＳＩ−ＲＳリソースの第２ＣＳＩ−ＲＳリソースに関連付けられた第２メッセージを送信することにより、ＣＳＩレポートを送信する様に動作可能であり得る。第１メッセージは第１送信ポイントに送信され、第２メッセージは第２送信ポイントに送信され得る。
【００９４】
特定の実施形態において、少なくとも１つの選択されたＣＳＩ−ＲＳについて決定された優先プリコーダ行列は、第１サブバンドに対する第１優先プリコーダ行列を含む。処理回路は、少なくとも１つの選択されたＣＳＩ−ＲＳリソースについて、第２サブバンドに対する第２優先プリコーダ行列を決定する様にさらに動作可能である。ＣＳＩレポートは、少なくとも１つの選択されたＣＳＩ−ＲＳリソースに対する第１及び第２優先プリコーダ行列を示す。
【００９５】
特定の実施形態において、処理回路は、ＣＱＩを決定するときに使用するコードワードからレイヤへのマッピングの表示を受信する様に動作可能である。
【００９６】
幾つかの実施形態によると、無線通信システムのネットワークノードによって実行される方法は、第１アンテナサブセットから、少なくとも２つのＣＳＩ−ＲＳリソースのセットの第１ＣＳＩ−ＲＳリソースで第１ＣＳＩ−ＲＳを、第２アンテナサブセットから、少なくとも２つのＣＳＩ−ＲＳリソースのセット内の第２ＣＳＩ−ＲＳリソースで第２ＣＳＩ−ＲＳリソースを、ユーザ装置に送信することであって、第１及び第２アンテナサブセットは空間多重化レイヤの第１及び第２セットを含み、レイヤの第１及び第２のセットは異なる、前記送信することと、ユーザ装置から、第１ＣＳＩ−ＲＳリソースに関連付けられた第１優先プリコーダ行列及び第２ＣＳＩ−ＲＳリソースに関連付けられた第２優先プリコーダ行列を含むＣＳＩレポートを受信することと、を含む。ＣＳＩレポートは、第１及び第２優先プリコーダ行列のそれぞれに関連付けられたＣＱＩをさらに含み得る。
【００９７】
幾つかの態様において、選択されたＣＳＩ−ＲＳリソースの第１ＣＳＩ−ＲＳリソースに関連付けられた送信は、レイヤの第１セットを含み、選択されたＣＳＩ−ＲＳリソースの第２ＣＳＩ−ＲＳリソースに関連付けられた送信は、レイヤの第２セットを含み、レイヤの第１セット及びレイヤの第２セットは異なり、レイヤの第１セット及び第２セットは相互に干渉する。
【００９８】
特定の実施形態において、アンテナサブセットは、異なる送信ポイント、又は、同じ送信ポイントの異なるアンテナパネルに属する。
【００９９】
特定の実施形態において、ＣＳＩレポートを受信することは、第１ＣＳＩ−ＲＳリソースに関連付けられた第１優先プリコーダ行列を含む第１メッセージを受信し、第２ＣＳＩ−ＲＳリソースに関連付けられた第２優先プリコーダ行列を含む第２メッセージを受信することを含む。
【０１００】
特定の実施形態において、本方法は、さらに、ＣＳＩ−ＲＳリソースの組み合わせの可能な仮定を含むＣＳＩレポート構成をユーザ装置に送信することを含む。本方法は、ＣＱＩを決定するときに使用するコードワードからレイヤへのマッピングの表示をユーザ装置に送信することをさらに含み得る。
【０１０１】
幾つかの実施形態によると、無線通信システムのネットワークノードは、第１アンテナサブセットから、少なくとも２つのＣＳＩ−ＲＳリソースのセット内の第１ＣＳＩ−ＲＳリソースで第１ＣＳＩ−ＲＳを、第２アンテナサブセットから、少なくとも２つのＣＳＩ−ＲＳリソースのセット内の第２ＣＳＩ−ＲＳリソースで第２ＣＳＩ−ＲＳリソースを、ユーザ装置に送信し、ここで、第１及び第２アンテナサブセットは空間多重化レイヤの第１及び第２セットを含み、レイヤの第１及び第２のセットは異なる、前記送信し、ユーザ装置から、送信されたＣＳＩ−ＲＳリソースのセットのＣＳＩ−ＲＳリソースにそれぞれが関連付けられた少なくとも２つの優先プリコーダ行列を含むＣＳＩレポートを受信する様に動作可能な処理回路を備えている。ＣＳＩレポートは、第１及び第２優先プリコーダ行列のそれぞれに関連付けられたＣＱＩをさらに含み得る。
【０１０２】
特定の実施形態において、アンテナサブセットは、異なる送信ポイント、又は、同じ送信ポイントの異なるアンテナパネルに属する。
【０１０３】
特定の実施形態において、処理回路は、第１ＣＳＩ−ＲＳリソースに関連付けられた第１優先プリコーダ行列を含む第１のメッセージを受信し、第２ＣＳＩ−ＲＳリソースに関連付けられた第２優先プリコーダ行列を含む第２のメッセージを受信することにより、ＣＳＩレポートを受信する様の動作可能である。
【０１０４】
特定の実施形態において、処理回路はさらに、ＣＳＩ−ＲＳリソースの組み合わせの可能な仮定を含むＣＳＩレポート構成をユーザ装置に送信する様に動作可能である。処理回路は、ＣＱＩを決定するときに使用するコードワードからレイヤへのマッピングの表示をユーザ装置に送信する様にさらに動作可能であり得る。
【０１０５】
幾つかの実施形態によると、ユーザ装置は、無線通信システムにおいてチャネル状態情報をレポートすることができる。ユーザ装置は、ＣＳＩ−ＲＳリソースのセット内の２つ以上のＣＳＩ−ＲＳリソースで構成される。ユーザ装置は、決定モジュール（１０５２）と、送信モジュール（１０５４）と、を含む。決定モジュールは、ＣＳＩ−ＲＳリソースのセットから少なくとも２つのＣＳＩ−ＲＳリソースを選択し、選択されたＣＳＩ−ＲＳリソースのそれぞれに対する優先プリコーダ行列を判定する様に動作可能である。送信モジュールは、選択されたＣＳＩ−ＲＳリソースのそれぞれと、選択されたＣＳＩ−ＲＳリソースのそれぞれについて決定された優先プリコーダ行列を示すＣＳＩレポートを送信する様に動作可能である。
【０１０６】
幾つかの実施形態によると、無線通信システムのネットワークノードは、送信モジュールと受信モジュールとを備える。送信モジュールは、第１アンテナサブセットから、少なくとも２つのＣＳＩ−ＲＳリソースのセットの内の第１ＣＳＩ−ＲＳリソースで第１チャネルＣＳＩ−ＲＳを、第２のアンテナサブセットから、少なくとも２つのＣＳＩ−ＲＳリソースのセット内の第２ＣＳＩ−ＲＳリソースで第２ＣＳＩ−ＲＳリソースをユーザ装置に送信する様に動作可能である。受信モジュールは、ユーザ装置から、第１ＣＳＩ−ＲＳリソースに関連付けられた第１優先プリコーダ行列と、第２ＣＳＩ−ＲＳリソースに関連付けられた第２優先プリコーダ行列とを含むＣＳＩレポートを受信する様に動作可能である。
【０１０７】
また、コンピュータプログラム製品も開示さる。コンピュータプログラム製品は、プロセッサによって実行されると、ＣＳＩ−ＲＳリソースのセットから少なくとも２つのＣＳＩ−ＲＳリソースを選択するステップと、選択されたＣＳＩ−ＲＳリソースのそれぞれについて優先プリコーダ行列を決定するステップと、選択されたＣＳＩ−ＲＳリソースのそれぞれと選択されたＣＳＩ−ＲＳリソースのそれぞれに対して決定された優先プリコーダ行列を示すＣＳＩレポートを送信するステップと、を実行する、非一時的なコンピュータ可読記憶媒体に格納された命令を含む。命令はさらに、選択されたＣＳＩ−ＲＳリソースのそれぞれについてチャネル推定値を計算するステップと、複数の有効チャネルからの仮定送信に対応するＣＱＩを決定するステップと、を実行する様に動作可能であり得る。有効チャネルは、選択された各ＣＳＩ−ＲＳリソースの優先プリコーダ行列とチャネル推定値に依存する。有効チャネルを介して送信されるレイヤは相互に干渉する。
【０１０８】
別のコンピュータプログラム製品は、プロセッサによって実行されると、第１アンテナサブセットから、少なくとも２つのＣＳＩ−ＲＳリソースのセット内の第１のＣＳＩ−ＲＳリソースで第１のＣＳＩ−ＲＳを、第２アンテナサブセットから、少なくとも２つのＣＳＩ−ＲＳリソースのセット内の第２のＣＳＩ−ＲＳで第２のＣＳＩ−ＲＳをユーザ装置に送信するステップと、ユーザ装置から、第１ＣＳＩ−ＲＳリソースに関連付けられた第１優先プリコーダ行列及び第２ＣＳＩ−ＲＳリソースに関連付けられた第２優先プリコーダ行列を含むＣＳＩレポートを受信するステップと、を実行する、非一時的なコンピュータ可読記憶媒体に格納された命令を含む。ＣＳＩレポートは、第１及び第２優先プリコーダ行列のそれぞれに関連付けられたＣＱＩをさらに含み得る。
【０１０９】
幾つかの実施形態の特定の利点は、ＵＥが各プリコーディング行列及び各ＴＲＰ／パネルのランクを一緒に選択し、非コヒーレントなジョイント送信（ＮＣ−ＪＴ）の仮定の下で適切なチャネル品質インジケータ（ＣＱＩ）を計算できることである。各ＣＳＩ−ＲＳリソースを個別のプリコーダコードブックに関連付けることにより、特定の実施形態は、さまざまな異なるポートレイアウト及びアンテナ配置をサポートし得る。
【０１１０】
開示する実施形態、それらの特徴及び利点の完全な理解のため、添付の図面を参照して以下に詳細な説明を行う。
【図面の簡単な説明】
【０１１１】
【図１】ロングタームエボリューション（ＬＴＥ）の物理リソースを示す図。
【図２】１５ｋＨｚのサブキャリア間隔を持つＬＴＥ時間領域構造例を示す図。
【図３】ニューレディオ（ＮＲ）におけるプリコードされた空間多重化の例示的な送信構造を示す図。
【図４】交差偏波アンテナ素子の二次元アレイの例を示す図。
【図５】マルチパネルアンテナアレイの例を示す図。
【図６】オーバーサンプリングされたＤＦＴビームの例を示す図。
【図７】特定の実施形態による例示的な無線ネットワークのブロック図。
【図８】幾つかの実施形態による、非コヒーレントマルチパネル／ＴＲＰ送信の例を示す図。
【図９Ａ】幾つかの実施形態によるユーザ装置での例示的な方法を示すフローチャート。
【図９Ｂ】幾つかの実施形態によるネットワークノードでの例示的な方法を示すフローチャート。
【図１０Ａ】無線デバイスの例示的な実施形態を示すブロック図。
【図１０Ｂ】無線デバイスの例示的な構成要素を示すブロック図。
【図１１Ａ】ネットワークノードの例示的な実施形態を示すブロック図。
【図１１Ｂ】ネットワークノードの例示的な構成要素を示すブロック図。
【図１２】ＮＣ−ＪＴの例示的なＣＳＩフレームワークの構成を示すブロック図。
【発明を実施するための形態】
【０１１２】
次世代モバイル無線通信システム（５Ｇ）又はニューレディオ（ＮＲ）は、ロングタームエボリューション（ＬＴＥ）と比較して、上りリンクと下りリンクの両方において、マルチパネルやマルチ送信／受信ポイント（ＴＲＰ）動作の様な、幅広いアンテナの設定、配置及びユースケースをサポートする。特定の問題は、このような柔軟性を効率的にサポートしながら、各ユースケースのための個別のチャネル状態情報（ＣＳＩ）フィードバック形式を指定することをどの様に避けるかである。下りリンクにおいて、ユーザ装置（ＵＥ）は、複数のアンテナパネルを備えた送信／受信ポイント（ＴＲＰ）によってサービスを提供されるか、それぞれが１つ以上のアンテナパネルを備えた複数のＴＲＰによってサービスされ得る。パネルは異なるポートレイアウトを使用する可能性があるため、異なるプリコーダコードブックに関連付けられることでメリットが得られる。単一のＣＳＩ−ＲＳリソースが複数のパネルのポートで構成されている場合、パネルサイズのさまざまな組み合わせに対応するさまざまなプリコーダコードブックを指定する必要があるが、これは実行可能ではない。
【０１１３】
特定の実施形態は、上述した問題を取り除き、複数のＣＳＩ−ＲＳリソースを測定する様に構成されたユーザ装置（ＵＥ）を含み、各リソースは個別の送信／受信ポイント（ＴＲＰ）又はアンテナパネルに対応する。ＵＥは、非コヒーレントジョイント送信に参加するための複数のチャネル状態情報基準信号（ＣＳＩ−ＲＳ）リソース、ならびに、各ＣＳＩ−ＲＳリソースの優先プリコーダ行列を、相互に干渉する異なるＣＳＩ−ＲＳリソースに対応するレイヤに基づき選択し得る。
【０１１４】
ＵＥは、優先プリコーディング行列及び各ＴＲＰ／パネルのランクを一緒に選択し、非コヒーレントなジョイント送信（ＮＣ−ＪＴ）仮定の下で適切なチャネル品質インジケータ（ＣＱＩ）を計算し得る。各ＣＳＩ−ＲＳリソースを個別のプリコーダコードブックに関連付けることにより、特定の実施形態は、さまざまな異なるポートレイアウト及びアンテナ配置をサポートし得る。
【０１１５】
以下の説明では、多くの具体的な詳細を説明する。しかし、これらの特定の詳細無しで実施形態を実施できることが理解される。他の例において、この説明の理解を不明瞭にしないために、周知の回路、構造、及び、技術は詳細に示さない。含まれる説明を用いて、当業者は、過度の実験なしに適切な機能を実装することができるであろう。
【０１１６】
本明細書における"一実施形態"、"実施形態"、"実施形態例"等への言及は、説明された実施形態が特定の特徴、構造、又は、特性を含み得ることを示すが、すべての実施形態が必ずしも特定の特徴、構造、又は、特性を含むとは限らない。さらに、そのようなフレーズは必ずしも同じ実施形態を参照しているわけではない。さらに、特定の特徴、構造、又は、特性が実施形態に関して説明されている場合、他の実施形態に関連してそのような特性、構造、又は、特性を実装することは、明示的に記述されているか否かに拘わらず、当業者の知識の範囲内では提示されている。
【０１１７】
特定の実施形態が図７〜図１１Ｂに記載され、同様の参照符号が、幾つかの図の同様及び対応する部分に使用される。ＬＴＥ及びＮＲが本開示全体を通して例示的なセルラシステムとして使用されるが、本明細書で提示される概念は、他の無線通信システムにも同様に適用され得る。
【０１１８】
図７は、特定実施形態による例示的な無線ネットワークのブロック図である。無線ネットワーク１００は、１つ以上の無線デバイス１１０（携帯電話、スマートフォン、ラップトップコンピュータ、タブレットコンピュータ、ＭＴＣデバイス、Ｖ２Ｘデバイス、又は無線通信を提供できる他のデバイス等）及び複数のネットワークノード１２０（基地局又はｅノードＢと等）を含む。無線デバイス１１０は、ＵＥとも呼ばれ得る。ネットワークノード１２０は、カバレッジエリア１１５（セル１１５とも呼ばれる）にサービスを提供する。
【０１１９】
一般に、ネットワークノード１２０のカバレッジ内にある（例えば、ネットワークノード１２０によってサービスされるセル１１５内にある）無線デバイス１１０は、無線信号１３０を送受信することによってネットワークノード１２０と通信する。例えば、無線デバイス１１０及びネットワークノード１２０は、音声トラフィック、データトラフィック、及び／又は、制御信号を含む無線信号１３０を通信し得る。
【０１２０】
音声トラフィック、データトラフィック、及び／又は、制御信号を無線デバイス１１０に通信するネットワークノード１２０は、無線デバイス１１０のサービングネットワークノード１２０と呼ばれ得る。無線デバイス１１０とネットワークノード１２０との間の通信は、セルラ通信と呼ばれ得る。無線信号１３０は、（ネットワークノード１２０から無線デバイス１１０への）下りリンク送信と（無線デバイス１１０からネットワークノード１２０への）上りリンク送信の両方を含み得る。ＬＴＥにおいて、ネットワークノード１２０と無線デバイス１１０との間で無線信号を通信するためのインタフェースは、Ｕｕインタフェースと呼ばれ得る。
【０１２１】
各ネットワークノード１２０は、信号１３０を無線デバイス１１０に送信するための単一の送信機又は複数の送信機を有し得る。幾つかの実施形態において、ネットワークノード１２０は、多入力多出力（ＭＩＭＯ）システムを含み得る。例えば、ネットワークノードは、マルチパネル又はマルチＴＲＰアンテナシステムを含み得る。同様に、各無線デバイス１１０は、ネットワークノード１２０又は他の無線デバイス１１０から信号１３０を受信するための単一の受信機又は複数の受信機を有し得る。
【０１２２】
無線デバイス１１０は、無線信号１４０を送信及び受信することにより互いに通信し得る（すなわち、Ｄ２Ｄ動作）。例えば、無線デバイス１１０ａは、無線信号１４０を使用して無線デバイス１１０ｂと通信し得る。無線信号１４０は、サイドリンク１４０とも呼ばれ得る。２つの無線デバイス１１０間の通信は、Ｄ２Ｄ通信又はサイドリンク通信と呼ばれ得る。ＬＴＥにおいて、無線デバイス１１０間の無線信号１４０を通信するためのインタフェースは、ＰＣ５インタフェースと呼ばれ得る。
【０１２３】
無線信号１３０及び１４０は、時間−周波数リソースで送信され得る。時間−周波数リソースは、無線フレーム、サブフレーム、スロット、及び／又は、ミニスロットに分割され得る。パーティションに基づいてデータ送信はスケジュールされ得る。例えば、データ送信は、サブフレーム、スロット又はミニスロットに基づいてスケジュールされ得る。
【０１２４】
無線デバイス１１０、ネットワークノード１２０、又は、無線信号を送信するネットワーク１００の他のコンポーネントは、無線送信機と呼ばれる得る。無線デバイス１１０、ネットワークノード１２０、又は、無線信号を受信するネットワーク１００の他のコンポーネントは、無線受信機と呼ばれる得る。
【０１２５】
無線信号１３０は、ＣＳＩ−ＲＳ等の基準信号を含み得る。ネットワークノード１２０は、アンテナポートに関連付けられた時間−周波数リソースエレメント（ＲＥ）のセット上で１つ以上のＣＳＩ−ＲＳ信号を送信し得る。無線デバイス１１０は、ＣＳＩ−ＲＳを受信及び測定する様に構成され得る。無線デバイス１１０は、ＣＳＩレポートを１つ以上のネットワークノード１２０に送信し得る。
【０１２６】
例えば、ネットワークノード１２０は、無線デバイス１１０に、第１アンテナサブセットから、少なくとも２つのＣＳＩ−ＲＳリソースのセットの内の第１ＣＳＩ−ＲＳリソースで第１ＣＳＩ−ＲＳを送信し、第２アンテナサブセットから、少なくとも２つのＣＳＩ−ＲＳリソースのセット内の第２ＣＳＩ−ＲＳリソースで第２ＣＳＩ−ＲＳリソースを送信し得る。アンテナサブセットは、アンテナアレイを含む少なくとも１つのアンテナパネルに含まれる１つ以上のアンテナ要素である。単一アンテナパネルが単一ＴＲＰに関連付けられ得る。マルチパネルアレイは、単一ＴＲＰに関連付けられることができ、アンテナサブセットは１つ以上のアンテナパネルを含み得る。
【０１２７】
特定の実施形態において、無線デバイス１１０は、ＣＳＩ−ＲＳリソースセット内の２つ以上のＣＳＩ−ＲＳリソースで構成（例えば、事前構成、或いは、ネットワークノード１２０等の別のネットワーク要素からのシグナリングを介して動的に構成）され得る。無線デバイス１１０は、ＣＳＩ−ＲＳリソースセットから少なくとも２つのＣＳＩ−ＲＳリソースを選択し、選択されたＣＳＩ−ＲＳリソースのそれぞれに対する優先プリコーダ行列を決定し、選択されたＣＳＩ−ＲＳリソースそれぞれと、選択されたＣＳＩ−ＲＳリソースのそれぞれについて決定した優先プリコーダ行列とを示すＣＳＩレポートを、ネットワークノード１２０に送信し得る。無線デバイス１１０は、さらに、選択されたＣＳＩ−ＲＳリソースのそれぞれについてチャネル推定値を計算し、複数の有効チャネルからの仮定送信に対応するＣＱＩを決定し得る。有効チャネルは、選択された各ＣＳＩ−ＲＳリソースの優先プリコーダ行列とチャネル推定値に依存する。有効チャネルを介して送信されるレイヤは相互に干渉する。ＣＳＩレポートは、選択されたＣＳＩ−ＲＳリソースのそれぞれについて決定されたＣＱＩをさらに示し得る。
【０１２８】
ネットワークノード１２０は、無線デバイス１１０から、第１ＣＳＩ−ＲＳリソースに関連付けられた第１優先プリコーダ行列と、第２ＣＳＩ−ＲＳリソースに関連付けられた第２優先プリコーダ行列とを含むＣＳＩレポートを受信し得る。ＣＳＩレポートは、第１及び第２優先プリコーダ行列のそれぞれに関連付けられたＣＱＩをさらに含み得る。アンテナサブセットは、異なる送信ポイント、又は、同じ送信ポイントの異なるアンテナパネルに属する。特定の実施形態において、無線デバイス１１０は、図８〜図１１Ｂに関して説明された例及び実施形態のいずれかに従って、ＣＳＩ−ＲＳを受信し、ＣＳＩをレポートし得る。
【０１２９】
無線ネットワーク１００において、各ネットワークノード１２０は、ロングタームエボリューション（ＬＴＥ）、５ＧＮＲ、ＬＴＥアドバンスト、ＵＭＴＳ、ＨＳＰＡ、ＧＳＭ、ｃｄｍａ２０００、ＮＲ、ＷｉＭａｘ、ＷｉＦｉ、及び／又は、他の適切な無線アクセス技術等の適切な無線アクセス技術を使用し得る。無線ネットワーク１００は、１つ以上の無線アクセス技術の任意の適切な組み合わせを含み得る。例示目的として、特定の無線アクセス技術の文脈内でさまざまな実施形態が記述され得る。しかしながら、本開示の範囲はこれら例に限定されず、他の実施形態は異なる無線アクセス技術を使用することができる。
【０１３０】
上述した様に、無線ネットワークの実施形態は、１つ以上の無線デバイスと、無線デバイスと通信できる１つ以上の異なる種別のネットワークノードと、を含み得る。ネットワークは、無線デバイス間、又は、無線デバイスと別の通信デバイス（固定電話等）との間の通信をサポートするのに適した任意の追加要素を含み得る。無線デバイスは、ハードウェア及び／又はソフトウェアの任意の適切な組み合わせを含み得る。例えば、特定の実施形態において、無線デバイス１１０等の無線デバイスは、以下の図１０Ａに関して説明されるコンポーネントを含み得る。同様に、ネットワークノードは、ハードウェア及び／又はソフトウェアの任意の適切な組み合わせを含み得る。例えば、特定の実施形態において、ネットワークノード１２０等のネットワークノードは、以下の図１１Ａに関して説明されるコンポーネントを含み得る。
【０１３１】
特定の実施形態は、複数のパネル又は複数の送信ポイントからの非コヒーレントジョイント送信（ＮＣ−ＪＴ）をサポートするＣＳＩフィードバックを含む。ＮＣ−ＪＴを用いることで、ＵＥでの送信ランクを増加させるため、個別のレイヤが、各アンテナパネル又は送信／受信ポイント（ＴＲＰ）より送信され、それに応じて達成可能なデータレートが増加する。非コヒーレントＪＴの特定の利点は、ＵＥがランク制約されている場合、例えば、サービング送信ポイントへの見通し線（ＬＯＳ）上であるか、サービング送信ポイントが少数のレイヤのみをサポートする場合、より高いランクの送信を促進することである。非サービング送信ポイントから追加レイヤを送信することにより、ＵＥのピークレートを増加できる。
【０１３２】
複数のＴＲＰ又はパネルからの送信間には大きなレイヤ間干渉が発生する可能性があるため、ＮＣ−ＪＴを有益にするには正確なリンクアダプテーションが必要になる。さらに、最適な送信設定を使用できる様に、送信ランクと参加ＴＲＰのプリコーディングを共同で選択することが有益である。
【０１３３】
幾つかの実施形態において、ＵＥは、複数の非ゼロ電力（ＮＺＰ）ＣＳＩ−ＲＳリソースを測定する様に構成され、各ＣＳＩ−ＲＳリソースは、複数のＣＳＩ−ＲＳアンテナポートを含む。各ＣＳＩ−ＲＳリソースは、異なるＴＲＰ又はアンテナパネルに関連付けられ得る。幾つかの実施形態において、ＣＳＩ−ＲＳリソースで搬送されるＣＳＩ−ＲＳは、ＴＲＰのアンテナアレイの異なるアンテナサブセットから非プリコーディング方式で送信され得るが、他の実施形態において、ＣＳＩ−ＲＳは、ＴＲＰのアンテナアレイの総てのアンテナからビーム形成方式で送信され得る。
【０１３４】
幾つかの実施形態は、ＮＲのＣＳＩフレームワークを使用し、チャネル測定のための１つのリソース設定にリンクされたＣＳＩレポート設定でＵＥを構成する。リソース設定は、各ＣＳＩ−ＲＳリソースが個別のＴＲＰに対応する複数のＣＳＩ−ＲＳリソースのリソースセットを含み得る。
【０１３５】
他の実施形態において、ＵＥは、各リソース設定が別個のＴＲＰに関連付けられているチャネル測定のための複数のリソース設定にリンクされたＣＳＩレポート設定で構成される。各リソースの設定は、複数のＣＳＩ−ＲＳリソースセットを含み得る、或いは、それらは、単一のＣＳＩ−ＲＳリソースのセットを含み得る。
【０１３６】
ＣＳＩフレームワークでＣＳＩ−ＲＳリソースがどの様に構成されているかや、それらが同じリソース設定に属しているかどうかに拘わらず、幾つかの実施形態において、ＵＥは、ＴＲＰからのＮＣ−ＪＴを望むことを示すために、ＴＲＰの数に対応するＣＳＩ−ＲＳリソースの数を選択し得る。幾つかの実施形態において、選択は、１つ以上のＣＳＩ−ＲＳリソースインジケータ（ＣＲＩ）と共に行われる。
【０１３７】
例えば、ＵＥは、選択されたＣＲＩ｛ＣＲＩ１，・・・，ＣＲＩＮＲＩ｝のセットと一緒に選択されたリソース数を示す"リソース数インジケータ"（ＮＲＩ）を、レポートし得る。あるいは、ＣＲＩ選択は、ＣＳＩ−ＲＳリソースに対応する各ビットを有するビットマップを使用してレポートされ得る。対応するビットを１に設定することは、リソースが選択されたことを示す。
【０１３８】
他の実施形態において、ＴＲＰから送信されるビーム掃引の異なるビームに対応する、幾つかのＣＳＩ−ＲＳリソースでＣＳＩ−ＲＳを送信する（例えば、各ＴＲＰがＣＳＩ−ＲＳ設定に対応すると、結果、１つ以上のＣＳＩ−ＲＳリソースを含む。）。ＵＥは、ＮＣ−ＪＴへの参加を希望するＴＲＰと、どのＣＳＩ−ＲＳをＴＲＰ毎に使用すべきかとの両方を選択し得る。幾つかのそのような実施形態において、ＴＲＰ選択は、１つ以上の個別のリソース設定インジケータ（ＲＳＩ）で行われるが、ＴＲＰ毎のＣＳＩ−ＲＳリソースの選択（すなわち、リソース設定内のＣＳＩ−ＲＳリソースセット内）は、ＣＲＩと共に行われる。
【０１３９】
幾つかの実施形態において、ＴＲＰ選択は、単一の仮定インジケータ（ＨＩ）と共に行われる。幾つかの実施形態において、ＵＥは、例えば、ＴＲＰが送信中であることを"１"で示し、反対を"０"で示す以下の表１に従って、ＣＳＩレポート設定における動的（送信）ポイント選択及びＮＣ−ＪＴのための可能な仮定のセットで構成される。この例において、ＨＩの選択は、ＵＥが送信に参加することを望むＴＲＰを示す。
【０１４０】
一部の実施形態において、ＨＩ選択は、１つ以上のリソース設定の選択に対応し、ここで、各リソース設定内のＣＳＩ−ＲＳリソースがさらに選択され得る。他の実施形態において、ＨＩ選択は、１つ以上のＣＳＩ−ＲＳリソースの選択に対応し、複数のＣＲＩを示すことと機能的に同等である。しかしながら、複数の仮定を事前に構成することにより、シグナリングのオーバヘッドを削減でき、さらに、ＵＥが選択する可能性のある仮定の数を制限できる。例えば、ネットワークは、ＵＥが測定する様に構成されているものよりも少ない数のＴＲＰからのＮＣ−ＪＴのみをサポートし得る（例えば、以下の例では、３つのうち最大２つのＴＲＰであり、その場合、ネットワークはＨＩ＝７を構成できない）。別の実施形態において、ＵＥは、同じＣＳＩレポート内の複数の仮定に対応する複数のＣＳＩをレポートする様に構成される。
【０１４１】
【表１】
2020523885.tif 000011
【０１４２】
他の実施形態において、ＵＥは、特定のＮＣ−ＪＴ仮定について、構成されたリソース設定又はＮＺＰ  ＣＳＩ−ＲＳリソースがＮＣ−ＪＴに参加することに基づいて、ＣＳＩをレポートする様に構成される。
【０１４３】
各ＣＳＩ−ＲＳリソースは、個別の疑似コロケーション（ＱＣＬ）仮定に関連付けられ得る。例えば、ＣＳＩ−ＲＳリソース内のアンテナポートは単一ＴＲＰから送信されることを想定すると、疑似コロケートであるが、異なるＣＳＩ−ＲＳリソース内のポートは単一のＴＲＰから送信されるとは想定できず、よって、疑似コロケートであるとはみなされない。
【０１４４】
各ＣＳＩ−ＲＳリソースは、プリコーダコードブックに関連付けられる。幾つかの実施形態において、プリコーダコードブックは、ＣＳＩ−ＲＳリソースのポートレイアウト（Ｎ１，Ｎ２）に依存するパラメータ化されたコードブックであり、ＣＳＩ−ＲＳリソースのポートの数は、Ｐ＝２Ｎ１Ｎ２である。幾つかの実施形態において、ポートレイアウトは、リソース設定でＣＳＩ−ＲＳリソースに関連付けられ、コードブックタイプ（ＮＲタイプＩ又はタイプＩＩ等）のみがレポート設定で識別される。幾つかの実施形態において、コードブック（ポートレイアウトの関数であり得る）は、ＣＳＩレポート設定内の各リンクされたリソース設定で識別される。
【０１４５】
選択された各ＣＳＩ−ＲＳリソースについて、ＵＥは、すべてのＣＳＩ−ＲＳリソースから同時に送信が行われるという仮定の下で、関連するコードブックから優先プリコーダ行列を計算する。したがって、ＵＥが仮定送信用に選択する結果としてのランクは、リソース毎のランクの合計ｖＴＯＴ＝Σｋ＝１Ｋｖｋであり、ここで、ｖｋは選択されたＣＳＩ−ＲＳリソースｋのプリコーダ仮定のランクであり、Ｋは選択されたリソース数である。ＵＥは、異なるＣＳＩ−ＲＳリソースに対応するレイヤが相互に干渉することに基づいて、プリコーダの選択を行う。
【０１４６】
例えば、ＷｋがＣＳＩ−ＲＳリソースｋ∈｛１，・・・，Ｋ｝のランクｖｋの望ましいプリコーダ行列であり、ＨｋがリソースｋのＣＳＩ−ＲＳポートのチャネル推定値である場合、ＰＭＩ及びＣＱＩを決定するときに以下の有効チャネルが仮定ＰＤＳＣＨ送信に使用される。
【０１４７】
【数９】
2020523885.tif 000012
【０１４８】
仕様において、これは、ＣＱＩを決定する際の仮定の送信のために、ＣＳＩ−ＲＳポートとＤＭＲＳポート間の対応がＵＥによってどの様に想定されるかとして記述され得る。ＤＭＲＳアンテナポートに７〜１４の番号が付けられ、ＣＳＩ−ＲＳアンテナポートに１５〜３１の番号が付けられるようなＬＴＥポート番号を想定すると、仕様テキストは以下の様になる。
【０１４９】
アンテナポート｛Ｐｋ，Ｐｋ＋１｝上のＰＤＳＣＨ信号、ここで、Ｐｋ＝７＋Σｌ＝１ｋ−１ｖ１は、Ｋ個のＣＳＩ−ＲＳリソースのセット内のＣＳＩ−ＲＳリソースｋに対応するアンテナポート｛１５，・・・，１４＋Ｐｋ｝で送信される対応シンボルに相当する信号となり、以下の式で与えられる。
【０１５０】
【数１０】
2020523885.tif 000013
【０１５１】
ｘ（７），・・・，ｘ（６＋ｖＴＯＴ）、ここでｖＴＯＴ＝Σｋ＝１Ｋｖｋ、はシンボルのベクトルであり、各シンボルはＵＥに送信されるレイヤに対応し、ＰＤＳＣＨをＵＥに送信するすべてのＴＲＰからのすべてのレイヤを含む。幾つかの実施形態において、ベクトルｘは、３ＧＰＰ  ＴＳ３６．２１１の６．３．３．２におけるレイヤマッピングからのベクトルｘに対応し、レイヤのセットは、すべてのＴＲＰからのすべてのレイヤのサブセットである。
【０１５２】
幾つかの実施形態において、優先プリコーダ行列を示すことは、選択された各ＣＳＩ−ＲＳリソースについてＰＭＩ及びＲＩを決定することを含み得る。マルチステージコードブックと周波数選択プリコーディングが使用される場合、幾つかのプリコーダ行列は、複数のＰＭＩ、例えば、Ｗｋ（ｆ）＝Ｗ１，ｋＷ２，ｋ（ｆ）で示され得る。
【０１５３】
次に、ＵＥは、選択されたＣＳＩ−ＲＳリソースに対応するレイヤが相互に干渉するという仮定の下、優先プリコーダに対応するチャネル品質インジケータ（ＣＱＩ）を計算する。そのような相互干渉は、ｙ＝Ｈｅｆｆｘを使用して式１に基づいて計算でき、ここで、ｙはＰＤＳＣＨをＵＥに送信すると仮定したＴＲＰで送信されるｘのＭＩＭＯレイヤ間の相互干渉を含むＰＤＳＣＨの仮定の受信信号である。
【０１５４】
ＮＲにおいて、１つ以上のＴＲＰからのＮＣ−ＪＴ送信は、ＰＤＳＣＨ内のレイヤが異なるＴＲＰから送信される、単一のＰＤＳＣＨで送信されるか、複数のＰＤＳＣＨがそれぞれ別々のＴＲＰから送信されかの２つの方法で実現され得る。コードワードからレイヤへのマッピングがＰＤＳＣＨ内で適用されるため、コードワードごとに、またそれに応じてＣＱＩごと（１つのコードワードが１つのＣＱＩにマップされる場合）に異なる数のレイヤが、どの方法を使用するかに応じて、同じ数のレイヤに使用され得る。したがって、一実施形態において、レポートされるＣＱＩが後続のＰＤＳＣＨ送信に対応する様に、計算するＣＱＩの数と同様にコードワードからレイヤへのマッピングがレポート設定に示される。
【０１５５】
別の実施形態において、ＮＣ−ＪＴに参加するＴＲＰ間の非理想的なバックホールリンクが想定される。この場合、個別のＣＳＩレポートが各ＴＲＰに送信され、各ＴＲＰは、そのＴＲＰに対応するＰＭＩ、ＲＩ及びＣＱＩのみを含む。他の実施形態において、異なるリソースに対応するＰＭＩ、ＲＩ及びＣＱＩを含む単一のＣＳＩレポートが送信される。
【０１５６】
図８は、幾つかの実施形態による、非コヒーレントマルチパネル／ＴＲＰ送信の例を示している。ＵＥは５つの２ポートＣＳＩ−ＲＳリソースで構成され、２つのリソース（リソース＃１及び＃５）を選択する。
【０１５７】
上述の例及び実施形態は、図９Ａ及び９Ｂのフローチャートによって一般化され得る。
【０１５８】
図９Ａは、幾つかの実施形態によるユーザ装置での例示的な方法を示すフローチャートである。特定の実施形態において、図９Ａの１つ以上のステップは、図７に関して説明したネットワーク１００の無線デバイス１１０によって実行され得る。
【０１５９】
この方法は、ステップ９１０で始まり、ＵＥはＣＳＩレポート構成を取得する。例えば、幾つかの実施形態において、無線デバイス１１０は、ネットワークノード１２０からレポート構成を受信し得る。ＣＳＩレポート構成は、ＵＥにＣＳＩ−ＲＳリソースを測定する方法、及び、測定をネットワークノードにレポートする方法を指示するための任意の適切な構成情報を含み得る。
【０１６０】
幾つかの実施形態において、ＣＳＩレポート構成は、１つ以上のＣＳＩ−ＲＳリソースの組み合わせの可能な仮定を含み得る。例えば、レポートの構成は、表１に関して前述した様に、仮定インジケータ（ＨＩ）を含み得る。別の例において、ＵＥネットワークは、４つのＣＳＩ−ＲＳリソースでＣＳＩ−ＲＳを送信し得る。ＣＳＩレポート構成は、値１、２又は３のインジケータを含み得る。例えば、インジケータ値が２の場合、ＵＥは２つのＣＳＩ−ＲＳリソースのＣＳＩ情報（ＰＭＩ／ＣＱＩ／ＲＩ等）をレポートする。
【０１６１】
幾つかの実施形態において、ＵＥは、ＣＳＩレポート構成情報で事前構成され、ＣＳＩレポート構成を取得することは、メモリ又はストレージからＣＳＩレポート構成情報を読み取ることを含み得る。
【０１６２】
幾つかの実施形態において、構成情報は、ＣＱＩを決定するときに使用するコードワードからレイヤへのマッピングの表示を受信することを含み得る。
【０１６３】
ステップ９１２で、ＵＥは、ＣＳＩ−ＲＳリソースセットを測定する命令を受信し得る。例えば、無線デバイス１１０は、Ｎ個のＣＳＩ−ＲＳリソースセット上のＣＳＩ−ＲＳを測定するためにネットワークノード１２０から命令を受信し得る。幾つかの実施形態において、各ＣＳＩ−ＲＳリソースは、１つ以上のＣＳＩ−ＲＳを搬送し得る。
【０１６４】
幾つかの実施形態において、無線デバイス１１０は、ＣＳＩ−ＲＳリソースセット及びＣＳＩ−ＲＳリソースを測定するためのスケジュールで事前構成され得る。幾つかの実施形態において、無線デバイス１１０は、デフォルト構成で事前構成され、デフォルト構成を上書きする命令を受信し得る。
【０１６５】
ステップ９１４で、ＵＥは、セット内のＣＳＩ−ＲＳリソースのそれぞれについてチャネル推定値を計算し得る。例えば、無線デバイス１１０は、各ＣＳＩ−ＲＳのチャネル推定値を測定及び決定し得る。
【０１６６】
ステップ９１６で、ＵＥは、ＣＳＩ−ＲＳリソースセットから少なくとも２つのＣＳＩ−ＲＳリソースを選択する。例えば、無線デバイス１１０は、Ｎ個のＣＳＩ−ＲＳのセットからＣＳＩ−ＲＳのサブセットＫを選択し得る。ＫはＮ以下であり（例えば、幾つかの実施形態において、サブセットはセット全体を含み得る）、かつ、２以上である。無線デバイス１００は、上記の例又は実施形態のいずれかに従ってサブセットを選択し得る。例えば、ＣＳＩ−ＲＳリソースのサブセットを選択することは、複数のＣＳＩ−ＲＳリソースインジケータ（ＣＲＩ）を選択すること、或いは、複数のリソース設定を選択することを含み得る。選択は、仮定インジケータに基づいて決定され得る。
【０１６７】
ステップ９１８で、ＵＥは、選択されたＣＳＩ−ＲＳリソースのそれぞれについて、１つ以上の優先プリコーダ行列を決定する。例えば、無線デバイス１１０は、上述の例又は実施形態のいずれかに従って１つ以上の優先プリコーダ行列を決定し得る。
【０１６８】
一例として、決定されたプリコーダは、システム帯域幅全体に対する単一の広帯域プリコーダであり得る。別の例として、ＵＥは、ＣＳＩリソースの複数のプリコーダを決定し得る。複数のプリコーダは、それぞれ、周波数選択性（又はサブバンド）プリコーダを備え得る。
【０１６９】
ステップ９２０で、ＵＥは、複数の有効チャネルからの仮定送信に対応するＣＱＩを決定し得る。有効チャネルは、サブセット内の各ＣＳＩ−ＲＳリソースの優先プリコーダ行列とチャネル推定値に依存する。有効なチャネルを介して送信されるレイヤは相互に干渉する。例えば、無線デバイス１１０は、上記の例又は実施形態のいずれかに従って、ＣＳＩ−ＲＳリソースのサブセットに対する優先プリコーダ行列及びチャネル推定値に基づいてＣＱＩを決定し得る。
【０１７０】
ステップ９２２で、ＵＥは、ＣＳＩレポートを１つ以上のネットワークノードに送信する。各ＣＳＩレポートは、１つ以上の優先プリコーダ行列と１つ以上のＣＱＩを含み得る。例えば、無線デバイス１１０は、上述の実施形態及び例のいずれかに従って、ネットワークノード１２０にＣＳＩレポートを送信し得る。幾つかの実施形態において、ＣＳＩレポートは、複数のメッセージ（例えば、ＣＳＩ−ＲＳリソースごとに１つのメッセージ）を含み得る。複数のメッセージは、１つのネットワーク要素に送信され、或いは、メッセージは、異なるネットワーク要素に送信され、各ネットワーク要素は、１つ以上のＴＲＰ又はアンテナパネルを担当する。
【０１７１】
図９Ａの方法９００に対して修正、追加又は省略を行うことができる。加えて、図９Ａの方法における１つ以上のステップは、並行して又は任意の適切な順序で実行され得る。ステップは、必要に応じて、時間毎に繰り返され得る。
【０１７２】
図９Ｂは、幾つかの実施形態によるネットワークノードでの例示的な方法を示すフローチャートである。特定の実施形態において、図９Ｂの１つ以上のステップは、図７に関して説明したネットワーク１００のネットワークノード１２０によって実行され得る。
【０１７３】
この方法は、ステップ９５２で始まり、ネットワークノードは、ＣＳＩレポート構成をユーザ装置に送信する。例えば、ネットワークノード１２０は、ＣＳＩレポート構成を無線デバイス１１０に送信し得る。ＣＳＩレポート構成は、図９Ａのステップ９１０に関して詳細に説明した。
【０１７４】
スッテプ９５４で、ネットワークノードは、無線デバイスに複数の送信ポイントからＣＳＩ−ＲＳリソースセットを送信、例えば、第１アンテナサブセットから、少なくとも２つのＣＳＩ−ＲＳリソースのセット内の第１ＣＳＩ−ＲＳリソースで第１ＣＳＩ−ＲＳを送信し、第２アンテナサブセットから、少なくとも２つのＣＳＩ−ＲＳリソースのセット内の第２ＣＳＩ−ＲＳリソースで第２ＣＳＩ−ＲＳリソースを送信する。例えば、ネットワークノード１２０は、３つの送信ポイントを使用してＣＳＩ−ＲＳのセットを無線デバイス１１０に送信し得る。送信ポイントは、ＴＲＰ、アンテナパネル等として参照され得る。ネットワークノード１２０は、第１ＴＲＰから第１ＣＲＩ−ＲＳリソースで第１ＣＳＩ−ＲＳを送信し、第２ＴＲＰから第２ＣＳＩ−ＲＳリソースで第２ＣＳＩ−ＲＳを送信し得る。第１及び第２のアンテナサブセットは、それぞれ、空間的に多重化されたレイヤの第１及び第２のセットを含み、レイヤの第１及び第２のセットは異なり、各送信は、ジョイント（すなわち同時）であり、非コヒーレント（つまり、互いに干渉し得る）である。
【０１７５】
スッテプ９５６で、ネットワークノードは、無線デバイスから、第１ＣＳＩ−ＲＳリソースに関連付けられた第１優先プリコーダ行列と、第２ＣＳＩ−ＲＳリソースに関連付けられた第２優先プリコーダ行列とを含むＣＳＩレポートを受信する。ＣＳＩレポートは、第１及び第２優先プリコーダ行列のそれぞれに関連付けられたＣＱＩをさらに含み得る。例えば、ネットワークノード１２０は、ＣＳＩレポートを無線デバイス１１０から受信し得る。無線デバイス１１０は、上記の例又は実施形態のいずれかに従ってＣＳＩレポートを決定し得る。
【０１７６】
図９Ｂの方法９５０に対して修正、追加又は省略を行うことができる。加えて、図９Ｂの方法における１つ以上のステップは、並行して又は任意の適切な順序で実行され得る。ステップは、必要に応じて、時間毎に繰り返され得る。
【０１７７】
図１０Ａは、無線デバイスの例示的な実施形態を示すブロック図である。無線デバイスは、図７に示される無線デバイス１１０の一例である。特定の実施形態において、無線デバイスは、ＣＳＩ−ＲＳリソースのセットを測定する命令を受信することができる。ＣＳＩリソースのセットの各ＣＳＩ−ＲＳリソースは、ＣＳＩ−ＲＳを搬送する。無線デバイスはさらに、セット内の各ＣＳＩ−ＲＳリソースのチャネル推定値を計算し、セット内の各ＣＳＩ−ＲＳリソースについて、１つ以上の優先プリコーダ行列を決定し、複数の有効チャネルからの仮定送信に対応するＣＱＩを決定し、ここで、有効チャネルは、各ＣＳＩ−ＲＳリソースに対する優先プリコーダ行列とチャネル推定値に依存し、有効チャネルを介して送信されるレイヤは相互に干渉し、１つ以上のＣＳＩレポートを１つ以上のネットワークノードに送信することが可能であり得る。各ＣＳＩレポートは、１つ以上の優先プリコーダ行列と１つ以上のＣＱＩの複数を含み得る。
【０１７８】
無線デバイスの特定例は、モバイルフォン、スマートフォン、ＰＤＡ（パーソナルデジタルアシスタント）、携帯型コンピュータ（例えば、ラップトップ、タブレット）、センサ、モデム、マシンタイプ通信（ＭＴＣ）デバイス／マシン・トゥ・マシン（Ｍ２Ｍ）デバイス、ラップトップエンベディッド装置（ＬＥＥ）、ラップトップマウンティッド装置（ＬＭＥ）、ＵＳＢドングル、Ｄ２Ｄ可能デバイス、車車間デバイス、又は、無線通信を提供できる他のデバイスを含む。無線デバイスは、送受信機１０１０と、処理回路１０２０と、メモリ１０３０と、電源１０４０と、を備えている。幾つかの実施形態において、送受信機１０１０は、（例えば、アンテナを介して）ネットワークノード１２０と、無線信号の送受信を促進し、処理回路１０２０は、無線デバイスにより提供される上述した機能の一部又は全部を提供するために命令を実行し、メモリ１０３０は、処理回路１０２０により実行される命令を格納する。電源１０４０は、送受信機１０１０、処理回路１０２０、及び／又は、メモリ１０３０等の無線デバイス１１０のコンポーネントのうちの１つ以上に電力を供給する。
【０１７９】
処理回路１０２０は、命令を実行する１つ以上の集積回路又はモジュールで実装されるハードウェア及びソフトウェアの任意の適切な組み合わせを含み、無線デバイスの記述される機能の幾つか又は総てを実行するためにデータを操作する。幾つかの実施形態において、処理回路１０２０は、例えば、１つ以上のコンピュータ、１つ以上のプログラム可能な論理デバイス、１つ以上の中央処理ユニット（ＣＰＵ）、１つ以上のマイクロプロセッサ、１つ以上のアプリケーション、及び／又は、他のロジック、及び／又は、上述したものの任意の適切な組み合わせを含み得る。処理回路１０２０は、無線デバイス１１０の記載された機能の一部又はすべてを実行する様に構成されたアナログ及び／又はデジタル回路を含み得る。例えば、処理回路１０２０は、抵抗器、コンデンサ、インダクタ、トランジスタ、ダイオード、及び／又は、任意の他の適切な回路コンポーネントを含み得る。
【０１８０】
メモリ１０３０は、一般に、コンピュータ実行可能コード及びデータを保存する様に動作可能である。メモリ１０３０の例は、コンピュータメモリ（例えば、ランダムアクセスメモリ（ＲＡＭ）又はリードオンリーメモリ（ＲＯＭ））、マス記憶媒体（例えば、ハードディスクドライブ）、リムーバブル記憶媒体（例えば、コンパクトディスク（ＣＤ）又はデジタルビデオディスク（ＤＶＤ））、及び／又は、情報を格納する、任意の他の揮発性若しくは不揮発性、非一時的なコンピュータ可読及び／又はコンピュータ実行可能メモリデバイスを含む。
【０１８１】
電源１０４０は、一般に、無線デバイス１１０のコンポーネントに電力を供給する様に動作可能である。電源１０４０は、リチウムイオン、リチウム空気、リチウムポリマー、ニッケルカドミウム、ニッケル金属水素化物等の任意の適切なタイプの電池、又は、無線デバイスに電力を供給するための他の適切なタイプの電池を含み得る。
【０１８２】
無線デバイスの他の実施形態は、上述した任意の機能及び／又は追加の機能（上述した解決策をサポートするのに必要な任意の機能を含む）を含む、無線デバイスの機能のある態様を提供するのに責任を負う（図１０Ａに示す以外の）追加のコンポーネントを含み得る。
【０１８３】
図１０Ｂは、無線デバイス１１０の例示的なコンポーネントを示すブロック図である。コンポーネントは、受信モジュール１０５０、決定モジュール１０５２及び送信モジュール１０５４を含み得る。
【０１８４】
受信モジュール１０５０は、無線デバイス１１０の受信機能を実行し得る。例えば、受信モジュール１０５０は、上述の例及び実施形態のいずれか（例えば、図９Ａのステップ９１０及び９１２）に従って、ＣＳＩ構成及び／又はＣＳＩ−ＲＳリソースのセットを測定する命令を受信し得る。特定の実施形態において、受信モジュール１０５０は、処理回路１０２０を含むか、それに含まれ得る。特定の実施形態において、受信モジュール１０５０は、決定モジュール１０５２及び送信モジュール１０５４と通信し得る。
【０１８５】
決定モジュール１０５２は、無線デバイス１１０の決定機能を実行し得る。例えば、決定モジュール１０５２は、ＣＳＩ−ＲＳリソースのセットから２つ以上のＣＳＩ−ＲＳリソースを選択し、選択されたＣＳＩ−ＲＳリソースのそれぞれのプリコーダ行列を決定し、選択されたＣＳＩ−ＲＳのそれぞれのチャネル推定値を決定し、及び／又は、複数の有効チャネルからの仮定送信に対応するＣＱＩを決定し、ここで、有効なチャネルは、選択されたＣＳＩ−ＲＳリソースのそれぞれについて決定されたプリコーダ行列とチャネル推定値に依存し、有効なチャネルを介して送信されるレイヤは相互に干渉する（例えば、図９Ａのステップ９１６−９２０）。特定の実施形態において、決定モジュール１０５２は、処理回路１０２０を含むか、それに含まれ得る。特定の実施形態において、決定モジュール１０５２は、受信モジュール１０５０及び送信モジュール１０５４と通信し得る。
【０１８６】
送信モジュール１０５４は、無線デバイス１１０の送信機能を実行し得る。例えば、送信モジュール１０５４は、上記の例及び実施形態のいずれか（例えば、図９Ａのステップ９２２）に従って、１つ以上のＣＳＩレポートを１つ以上のネットワークノードに送信し得る。特定の実施形態において、送信モジュール１０５４は、処理回路１０２０を含むか、それに含まれ得る。特定の実施形態において、送信モジュール１０５４は、受信モジュール１０５０及び決定モジュール１０５２と通信し得る。
【０１８７】
図１１Ａは、ネットワークノードの例示的な実施形態を示すブロック図である。ネットワークノードは、図７に示されるネットワークノード１２０の一例である。特定の実施形態において、ネットワークノードは、２つ以上のＣＳＩ−ＲＳを無線デバイスに送信し、２つ以上のＣＳＩ−ＲＳについて異なるチャネル状態情報を有するＣＳＩレポートを無線デバイスから受信することができる。
【０１８８】
ネットワークノード１２０は、ｅノードＢ、ノードＢ、ｇＮＢ、基地局、無線アクセスポイント（例えば、Ｗｉ−Ｆｉアクセスポイント）、低電力ノード、基地トランシーバ局（ＢＴＳ）、送信ポイント若しくはノード、リモートＲＦユニット（ＲＲＵ）、リモート無線ヘッド（ＲＲＨ）、又は、その他の無線アクセスノードであり得る。ネットワークノードは、少なくとも１つの送受信機１１１０と、プロセッサ又は処理回路１１２０と、少なくとも１つのメモリ１１３０と、少なくとも１つのネットワークインタフェース１１４０と、を含む。送受信機１１１０は、（例えば、アンテナを介して）無線デバイス１１０と、無線信号の送受信を促進し、処理回路１１２０は、ネットワークノード１２０により提供される上述した機能の一部又は全部を提供するために命令を実行し、メモリ１１３０は、処理回路１１２０により実行される命令を格納し、ネットワークインタフェース１１４０は、ゲートウェイ、スイッチ、ルータ、インターネット、公衆回線交換電話ネットワーク（ＰＳＴＮ）、コントローラ、及び／又は、他のネットワークノード１２０等の後方のネットワーク構成要素と信号を通信する。処理回路１１２０及びメモリ１１３０は、上記の図１０Ａの処理回路１０２０及びメモリ１０３０に関して説明したものと同じタイプのものであり得る。
【０１８９】
幾つかの実施形態において、ネットワークインタフェース１１４０は、プロセッサ２２０と通信可能に結合され、ネットワークノード１２０への入力を受信し、ネットワークノード１２０からの出力を送信し、入力、出力若しくは入出力の適切な処理を実行し、他のデバイスと通信し、或いは、それらの任意の組み合わせを行うことが可能な任意の適切なデバイスを参照する。ネットワークインタフェース１１４０は、ネットワークを介して通信するための、適切なハードウェア（例えば、ポート、モデム、ネットワークインタフェースカード等）と、プロトコル変換及びデータ処理能力を含むソフトウェアと、を含み得る。
【０１９０】
ネットワークノード１２０の他の実施形態は、上述した任意の機能及び／又は追加の機能（上述した解決策をサポートするのに必要な任意の機能を含む）を含む、ネットワークノードの機能のある態様を提供するのに責任を負う（図１１Ａに示す以外の）追加のコンポーネントを含み得る。ネットワークノードの種々の異なるタイプは、同じ物理的なハードウェアを有するが、異なる無線アクセス技術をサポートする様に構成（例えば、プログラミングを介して）されたコンポーネント、或いは、部分的若しくは完全に異なる物理コンポーネントを含み得る。
【０１９１】
図１１Ｂは、ネットワークノード１２０の例示的なコンポーネントを示すブロック図である。コンポーネントは、送信モジュール１０５０及び受信モジュール１１５２を含み得る。
【０１９２】
送信モジュール１１５０は、ネットワークノード１２０の送信機能を実行し得る。例えば、送信モジュール１１５０は、上記の例及び実施形態のいずれか（例えば、図９Ａのステップ９５４）に従って、ＣＳＩ−ＲＳリソースのセットを無線デバイスに送信し得る。送信モジュール１１５０は、ＣＳＩレポート構成を無線デバイスに送信し得る（例えば、図９Ａのステップ９５２）。特定の実施形態において、送信モジュール１１５０は、処理回路１１２０を含むか、それに含まれ得る。特定の実施形態において、送信モジュール１１５０は、受信モジュール１０５０と通信し得る。
【０１９３】
受信モジュール１１５２は、ネットワークノード１２０の受信機能を実行し得る。例えば、受信モジュール１１５２は、上記の例及び実施形態のいずれか（例えば、図９Ａのステップ９５６）に従って、ＣＳＩ−ＲＳレポートを受信し得る。特定の実施形態において、受信モジュール１１５２は、処理回路１１２０を含むか、それに含まれ得る。特定の実施形態において、受信モジュール１１５２は、送信モジュール１０５０と通信し得る。
【０１９４】
本発明の範囲を逸脱することなく、ここで述べたシステム及び装置に対する修正、追加、省略が行われ得る。システム及び装置のコンポーネントは、統合又は分離され得る。さらに、システム及び装置の動作は、より多くの、より少ない、或いは、他のコンポーネントで実行され得る。さらに、システム及び装置の動作は、ソフトウェア、ハードウェア、及び／又は、他のロジックを含む任意の適切な論理回路を使用して実現され得る。本開示で使用する"各"は、セットの各要素、又は、セットのサブセットの各要素を参照している。
【０１９５】
本発明の範囲を逸脱することなく、ここで述べた方法に対する修正、追加、省略が行われ得る。方法は、より多くの、より少ない、或いは、他のステップを含み得る。さらに、ステップは、任意の適切な順序で実行され得る。
【０１９６】
本開示について、ある実施形態により記述したが、当業者には、実施形態の変更及び組み合わせが明らかである。よって、実施形態の上述した説明は、本開示を拘束しない。以下の特許請求の範囲で定義される本開示の精神及び範囲から逸脱することなく、他の変更、置換、変形が可能である。
【０１９７】
以下の例は、実施形態の特定の態様が特定の通信規格のフレームワーク内でどの様に実装され得るかの非限定的な例を提供する。特に、これらの例は、３ＧＰＰ  ＴＳＧ  ＲＡＮ標準のフレームワーク内で特定の実施形態をどの様に実装できるかの非限定的な例を提供する。変更は、実施形態の特定の態様を特定の標準でどの様に実装できるかを示すことを単に意図している。しかしながら、実施形態は、３ＧＰＰ仕様及び他の仕様又は標準の両方において、他の適切な方法で実装することもできる。
【０１９８】
例えば、標準は、ＣＳＩフレームワークに関連する次の属性を含み得る。ＲＳ及び干渉測定設定に関して、仕様は、"ＲＳ設定"を"リソース設定"に改名することができ、これは、チャネル及び／又は干渉測定に使用される信号の構成を含む。
【０１９９】
他の用語に関し、ＵＥは、Ｎ≧１のＣＳＩレポート設定、Ｍ≧１のリソース設定、及び１つのＣＳＩ測定設定で構成でき、ＣＳＩ測定設定はＬ≧１のリンクを含む。Ｌ個のリンクのそれぞれは、ＣＳＩレポート設定とリソース設定に対応する。
【０２００】
以下の構成パラメータは、少なくともＣＳＩ取得のために無線リソース制御（ＲＲＣ）を介して通知され得る。Ｎ、Ｍ及びＬは、暗黙的又は明示的に示される。各ＣＳＩレポート設定において、少なくともレポートされたＣＳＩパラメータ、レポートされた場合にはＣＳＩタイプ（Ｉ又はＩＩ）、コードブックサブセット制限を含むコードブック構成、時間領域の挙動、ＣＱＩ及びＰＭＩの周波数粒度、及び、測定制限の構成がシグナリングされ得る。各リソース設定において、Ｓ≧１のＣＳＩ−ＲＳリソースセットの構成がシグナリングされ得る。各セットは、ＵＥに設定されたすべてのＣＳＩ−ＲＳリソースのプールからの異なる選択に対応し得る。少なくともＲＥへのマッピング、ポート数、時間領域の挙動等を含む、各セットのＫｓ≧１のＣＳＩ−ＲＳリソース構成がシグナリングされ得る。ＣＳＩ測定設定のＬ個のリンクのそれぞれにおいて、ＣＳＩレポート設定指示、リソース設定指示、及び／又は、測定されるべき量（チャネル又は干渉のいずれか）がシグナリングされ得る。１つのＣＳＩレポート設定は、１つ以上のリソース設定にリンクできる。複数のＣＳＩレポート設定は、同じリソース設定にリンクできる。
【０２０１】
適用可能な場合、以下のものがＬ１又はＬ２シグナリングによって動的に選択され得る。（ａ）ＣＳＩ測定設定内の１つ以上のＣＳＩレポート設定。（ｂ）少なくとも１つのリソース設定から選択された１つ以上のＣＳＩ−ＲＳリソースセット。（ｃ）少なくとも１つのＣＳＩ−ＲＳリソースセットから選択された１つ以上のＣＳＩ−ＲＳリソース。
【０２０２】
ＮＲ受信に関して、単一のＮＲ−ＰＤＣＣＨは、単一のＮＲ−ＰＤＳＣＨをスケジュールし、そこでは、個別のレイヤが個別のＴＲＰから送信される。複数のＮＲ−ＰＤＣＣＨはそれぞれ、各ＮＲ−ＰＤＳＣＨをスケジュールし、そこでは、各ＮＲ−ＰＤＳＣＨが個別のＴＲＰから送信される。単一のＮＲ−ＰＤＣＣＨが単一のＮＲ−ＰＤＳＣＨをスケジュールし、各レイヤがすべてのＴＲＰから共同で送信されるする場合は、仕様透過的な方法で実行され得る。上記のケースのＣＳＩフィードバックの詳細は、個別に指定できる。
【０２０３】
非コヒーレントジョイント送信（ＮＣ−ＪＴ）を用いることで、ＵＥでの送信ランクを増加させるため、個別のレイヤが、各アンテナパネル又は送信／受信ポイント（ＴＲＰ）より送信され、それに応じて達成可能なデータレートが増加する。非コヒーレントＪＴの主な利点は、ＵＥがランク制約されている場合（例えば、サービング送信ポイントへの見通し線（ＬＯＳ）上であるか、サービング送信ポイントが少数のレイヤのみをサポートする場合）、より高いランクの送信を促進することである。非サービング送信ポイントから追加レイヤを送信することにより、ＵＥのピークレートを増加できる。複数のＴＲＰ又はパネルからの送信間に大きなレイヤ間干渉が発生する可能性があるため、ＮＣ−ＪＴを有益にするには正確なリンクアダプテーションが必要になる。さらに、最適な送信設定を使用できる様に、送信ランクと参加ＴＲＰのプリコーディングを共同で選択することが有益である。
【０２０４】
ＮＣ−ＪＴは、ＮＲの既存のＣＳＩフレームワークを使用してサポートできる。例えば、それぞれ別々のＴＲＰに対応する２つのＣＳＩレポート設定でＵＥを構成し、単一ＴＲＰ仮定に対応する各ＴＲＰに対応するＰＭＩ／ＲＩ／ＣＱＩレポートをフィードバックすることができる。レポートされたＰＭＩは、各ＴＲＰからの送信をプリコードするために直接使用され得る。ただし、仕様透過アプローチの使用には幾つかの問題がある。（ａ）ＲＩは、単一ＴＲＰ仮定に対応し、ＮＣ−ＪＴ仮定に対応して共同で選択されないため、あまりにも積極的に選択される可能性が高い。（ｂ）ＴＲＰ間の干渉が考慮されていないため、ＣＱＩは楽観的すぎる。（ｃ）各ＴＲＰのＰＭＩは独立して決定されるため、大きな相互干渉を引き起こすＰＭＩがＵＥによって選択される可能性がある。
【０２０５】
したがって、ＮＲのＣＳＩフレームワークでＮＣ−ＪＴをサポートするＣＳＩレポート設定は有益である。最適なパフォーマンスを得るため、ＵＥは複数のＴＲＰからのシングルＴＲＰ（ＤＰＳ）又はＮＣ−ＪＴ送信を動的に選択し得る。選択は、単一のＣＳＩレポートでフィードバックされ得る。たとえ、ＵＥがＮＣ−ＪＴ送信を好むことを示したとしても、ネットワークがＮＣ−ＪＴ送信に対応できることをＵＥは確信できず、代わりにシングルＴＲＰ送信が適用され得る。したがって、ネットワークは、ＮＣ−ＪＴと単一ＴＲＰの両方の仮定で利用可能なＣＳＩを必要とし、これは、ＵＥに対して幾つかのＣＳＩレポート設定を構成し得ることを意味する。
【０２０６】
特定の３ＧＰＰワーキンググループは、ＮＣ−ＪＴのＣＳＩフィードバックのためのＣＳＩ拡張に以下のオプションを検討している。オプション１は、Ｋ＞１のＣＳＩ−ＲＳリソースを持つ単一のＣＳＩプロセスを使用する。チャネル測定とＴＰ間干渉測定は、異なる仮定に対するこれらのＫ個のＣＳＩ−ＲＳリソースの選択に基づいて柔軟に構成され得る。
【０２０７】
オプション２は、拡張コードブックと複数のＣＳＩ−ＲＳリソースからの集約ＣＳＩリソースを備えた単一ＣＳＩプロセスを使用する。複数のＴＰからのＣＳＩ−ＲＳリソースは集約されて、１つのＣＳＩ−ＲＳリソースを形成する。非コヒーレントなジョイント送信を考慮したコードワード構造を備えた拡張コードブックは、集約されたＣＳＩ−ＲＳから測定された集約されたチャネルに適用され得る。２つのＴＰジョイント送信を考慮したコードワード構造の例は、
【０２０８】
【数１１】
2020523885.tif 000014
【０２０９】
であり、ここでＷａ及びＷｂは、２つのＴＰにそれぞれ適用されるプリコーディング行列である。
【０２１０】
オプション３は、ＣＳＩプロセス間の依存関係を持つ複数のＣＳＩプロセスを使用する。複数のＣＳＩプロセスメカニズムの場合、ＣＳＩプロセス間の依存関係が考慮され得る。この様にして、ＴＰごとに異なる干渉の仮定が示される。より詳しくは、第１ＴＰからの１つのＣＳＩプロセス（ＰＭＩ等）の計算されたＣＳＩは、別のＣＳＩプロセス（つまり、別のＴＰ）のＣＳＩ計算中において干渉の構成として扱うことができる。この表示は、ＳＩＣ等の高度な受信機を想定してＣＳＩの精度を向上させるために使用され得る。
【０２１１】
ＮＲは柔軟なＣＳＩフレームワークを使用するため、ＮＣ−ＪＴのＣＳＩフィードバックをサポートするための好ましいアプローチは、上記の最初の２つのオプションの混合物であり得る。異なるＴＲＰからのＣＳＩ−ＲＳはＱＣＬであると想定できず、さらに、各ＴＲＰのＣＳＩ−ＲＳポートとＤＭＲＳポート間のＱＣＬ指示が必要になる場合があるため、特定のＣＳＩフレームワークは、同じＣＳＩ−ＲＳリソースの異なるポートではなく、個別のＣＳＩリソースでＣＳＩ−ＲＳを送信するＴＲＰ又はアンテナパネルを含み得る。対応するＤＭＲＳでＱＣＬを示すために、各ＴＲＰは個別のＣＳＩ−ＲＳリソースを送信し得る。
【０２１２】
異なるＴＲＰには、異なるアンテナが装備される場合がある（ポート数やポートレイアウトが異なる場合等）。マルチＴＲＰ用のさまざまなコードブックを定義する必要があるため、上記のオプション２を直接実行するのは面倒な場合がある。むしろ、ＣＳＩ−ＲＳリソースを集約して共同コードブックを適用するよりも、ＴＲＰに関連付けられたＣＳＩ−ＲＳリソースに適用される各ＴＲＰに個別のコードブックを定義する方が簡単である。ＮＣ−ＪＴに参加しているＴＲＰには、異なるアンテナを装備でき、異なるコードブックが必要である。
【０２１３】
別の考慮事項は、ＵＥがＮＣ−ＪＴ送信を推奨できる場合でも、ＵＥが低ランクの送信を希望する可能性があるため、推奨が常に最適であるとは限らないことである。したがって、ＵＥは、ＮＣ−ＪＴに参加することを望むＴＲＰの数を動的に示すことができる（単一点送信仮定を含む）。したがって、ネットワークは最大数のＴＲＰ／ＣＳＩ−ＲＳリソースを構成し、ＵＥはＣＳＩレポートに含まれるＣＳＩ−ＲＳリソースの数を動的に選択し得る。ＵＥがＮＣ−ＪＴに参加するＴＲＰの数を動的に選択することは有益である。
【０２１４】
ＮＣ−ＪＴ仮定のＣＳＩを計算するために、ＵＥは複数のＣＳＩ−ＲＳリソースを選択できる。各ＣＳＩ−ＲＳリソースは、プリコーダコードブック（ポートレイアウト（Ｎ１，Ｎ２）等）に関連付けられ得る。選択された各ＣＳＩ−ＲＳリソースについて、ＵＥは、すべてのＣＳＩ−ＲＳリソースから同時に送信が行われるという仮定の下で、関連するコードブックから優先プリコーダ行列を計算する。したがって、ＵＥが仮定送信用に選択する結果のランクは、リソースごとのランクの合計ｖＴＯＴ＝Σｋ＝１Ｋｖｋであり、ここで、ｖｋは選択されたＣＳＩ−ＲＳリソースｋのプリコーダ仮定のランクであり、Ｋは選択されたリソースの数である。
【０２１５】
ＵＥは、異なるＣＳＩ−ＲＳリソースに対応するレイヤが相互に干渉することに基づいて、プリコーダの選択を行う。例えば、ＷｋがＣＳＩ−ＲＳリソースｋ∈｛１，・・・，Ｋ｝のランクｖｋの優先プリコーダ行列であり、ＨｋがリソースｋのＣＳＩ−ＲＳポートのチャネル推定値である場合、ＰＭＩ及びＣＱＩを決定するときに以下の有効チャネルが仮定ＰＤＳＣＨ送信に使用される。
【０２１６】
【数１２】
2020523885.tif 000015
【０２１７】
したがって、選択したＣＳＩ−ＲＳリソース全体のレイヤ間干渉が考慮され得る。複数リソースの選択例を図８に示す。
【０２１８】
さらに、各ＴＲＰは、プリコーディングされていないＣＳＩ−ＲＳ又はビーム形成されたＣＳＩ−ＲＳのセットを使用できる。後者の場合、各ＴＲＰは、ＵＥによってＣＲＩで選択された複数のＣＳＩ−ＲＳリソースに関連付けられる。したがって、ＴＲＰ（又はパネル）内のＣＳＩ−ＲＳリソースの選択は、ＮＣ−ＪＴの異なるＴＲＰに対応する複数のＣＳＩ−ＲＳリソースの選択と差別化され得る。
【０２１９】
差別化を効率的に促進するために、ＮＣ−ＪＴ仮定のＣＳＩレポート設定を、チャネル測定用の複数のＮＺＰ  ＣＳＩ−ＲＳリソース設定にリンクすることができ、各リソース設定はＴＲＰに対応する。各リソース設定内で、例えば、ＴＲＰがリソースプーリングでビームフォーミングされたＣＳＩ−ＲＳを利用している場合、それぞれが複数のＣＳＩ−ＲＳリソースを含む、複数のＣＳＩ−ＲＳリソースセットでＵＥを構成でき、或いは、他の極端な例では、ＴＲＰがプリコーディングされていないＣＳＩ−ＲＳを利用する場合、単一のＮＺＰ  ＣＳＩ−ＲＳリソース含む、複数のＣＳＩ−ＲＳリソースセットでＵＥを構成できる。ＣＳＩレポート設定の各（チャネル）リソース設定には、そのリソース設定内のＣＳＩ−ＲＳリソースに使用するプリコーダコードブック（又は単にポートレイアウト）との関連付けがある。ＴＲＰの選択は、設定された１つ以上のリソース設定を選択することで実行され、選択された各リソース設定について、ＰＭＩ／ＲＩ及び場合によってはＣＲＩが決定される。
【０２２０】
リソース設定の選択は、仮定インジケータ（ＨＩ）を使用して実行され得る。例えば、リソース設定が選択されていることを"１"で示し、反対を"０"で示す表２に従って、ＣＳＩレポート設定のＤＰＳ及びＮＣ−ＪＴの可能な仮定セットでＵＥを構成し得る。
【０２２１】
【表２】
2020523885.tif 000016
【０２２２】
ＣＳＩレポート設定でＵＥが選択できる仮定を構成することにより、ネットワークは、ＤＰＳ及びＮＣ−ＪＴにさまざまなＣＳＩレポート設定を構成でき、異なる仮定セットに対して異なるＣＳＩレポートをトリガできる。別の可能性は、単一の仮定のみを構成することであり、その場合、ＵＥはＨＩをフィードバックする必要はない。
【０２２３】
ＣＳＩフレームワークがマルチＴＲＰのＮＣ−ＪＴ  ＣＳＩフィードバックをサポートする方法の例を図１２に示す。各ＣＳＩレポート設定は、設定されたチャネル仮定の異なるセットに対応する。
【０２２４】
一般に、ＮＣ−ＪＴ  ＣＳＩフィードバックをサポートするために、ＣＳＩレポート設定をチャネル測定用の複数のリソース設定にリンクできる。ＣＳＩレポート設定は、各リソース設定をプリコーダコードブックに関連付けられる。ＣＳＩレポート設定は、チャネル測定の仮定のセットでさらに構成され、各仮定は、チャネル測定のリンクされたリソース設定のサブセットを選択し、ＵＥはＣＳＩレポートの一部としてセットから１つの仮定を選択する。選択されたリソース設定について、ＵＥは、異なるリソース設定のＣＳＩ−ＲＳリソースからのレイヤが相互に干渉することに基づいて、各リソース設定のＰＭＩ、ＲＩ、及び、該当する場合はＣＲＩを共同で決定する。
【０２２５】
ＮＣ−ＪＴは、ＰＤＳＣＨのさまざまなレイヤがさまざまなＴＲＰに対応するＰＤＳＣＨ内でサポートされるか、個別のＴＲＰからそれぞれ送信される複数のＰＤＳＣＨを使用してサポートされる。同じＣＳＩフレームワークを両方のケースに使用できるが、違いは、想定するコードワードからレイヤへのマッピングと、計算するＣＱＩの数であり、これは、例えば、１つ又は２つのＰＤＳＣＨが使用されているかどうかに応じて、各ＴＲＰが２つのレイヤをそれぞれ送信するランク４のＮＣ−ＪＴ送信が１つ又は２つのコードワードにマッピングされ得るからである。したがって、ＵＥは何が想定されているかを知る必要がある。これは、リソース設定で構成できる。ＮＣ−ＪＴ仮定を使用したＣＳＩフィードバックの場合、ＣＳＩレポート設定には、ＣＱＩ計算に単一又は複数のＰＤＳＣＨが想定されているかどうかに関する情報が含まれ得る。
【０２２６】
ＣＳＩレポートのフィードバックに関しては、複数のＰＤＣＣＨ／ＰＤＳＣＨ操作が使用されている場合（つまり、ＣＳＩレポートは幾つかのＴＲＰ毎のＣＳＩレポートに分割されない。）でも、すべてのＰＭＩ／ＣＱＩを含む単一のＣＳＩフィードバックレポートの送信を考慮する方が簡単である。ＴＲＰが完全に同期されておらず、例えば、個別のＰＵＣＣＨ送信で独立したＨＡＲＱ−ＡＣＫフィードバックを必要とする独自のＨＡＲＱバッファを管理している場合でも、ＣＳＩフィードバックは通常、ＨＡＲＱフィードバックほど遅延の影響を受けず、非理想的なバックホールリンク上でＴＲＰによって共有される場合がある（又は、ＣＳＩレポートを搬送する物理チャネルの上りリンクリソース割り当てのスケジューリング情報を共有し、ＴＲＰが上りリンク送信を個別に受信できる）。ＮＣ−ＪＴのＣＳＩフィードバックは非周期的にトリガされ、ＰＵＳＣＨで搬送される可能性が最も高いため、ＴＲＰごとのＣＳＩフィードバックが使用される場合、ＵＥは幾つかのＰＵＳＣＨを同時に送信でき、それは、電力制御の観点から面倒であり、避ける必要がある。したがって、ＮＣ−ＪＴのＣＳＩフィードバックは単一のレポートに含まれ、個別のＰＵＣＣＨ／ＰＵＳＣＨ送信に関するＴＲＰごとのＣＳＩレポートに分割されない場合がある。
【０２２７】
上記説明で使用した略語は以下のものを含む。
３ＧＰＰ：第３世代パートナーシッププロジェクト
ＢＴＳ：ベーストランシーバ局
ＣｏＭＰ：協調複数送信ポイント
ＣＱＩ：チャネル品質情報
ＣＲＣ：巡回冗長検査
ＣＲＩ：ＣＳＩ−ＲＳリソースインジケータ
Ｃ−ＲＮＴＩ：セル無線ネットワーク一時識別子
ＣＳＩ：チャネル状態情報
ＣＳＩ−ＲＳ：チャネル状態情報基準信号
Ｄ２Ｄ：デバイス・トゥ・デバイス
ＤＣＩ：下りリンク制御情報
ＤＦＴ：離散フーリエ変換
ｅＮＢ：ｅノードＢ
ＦＤＤ：周波数分割複信
ＨＡＲＱ：ハイブリッド自動再送要求
ＬＴＥ：ロングタームエボリューション
ＭＡＣ：媒体アクセス制御
Ｍ２Ｍ：マシン・トゥ・マシン
ＭＣＳ：変調及び符号化法
ＭＩＭＯ：多入力多出力
ＭＴＣ：マシン型通信
ＮＣ−ＪＴ：非コヒーレントジョイント送信
ＮＲ：ニューレディオ
ＯＦＤＭ：直交周波数分割多重
ＰＤＣＣＨ：物理下りリンク制御チャネル
ＰＤＳＣＨ：物理下りリンク共用チャネル
ＰＭＩ：プリコーダ行列インデクス
ＰＲＢ：物理リソースブロック
ＰＵＣＣＨ：物理上りリンク制御チャネル
ＰＵＳＣＨ：物理上りリンク共用チャネル
ＱＡＭ：直交振幅変調
ＱＣＬ：疑似コロケーション
ＱＰＳＫ：直交位相シフトキーイング
ＲＡＮ：無線アクセスネットワーク
ＲＡＴ：無線アクセス技術
ＲＢ：リソースブロック
ＲＢＳ：無線基地局
ＲＩ：ランクインジケータ
ＲＮＣ：無線ネットワークコントローラ
ＲＲＣ：無線リソース制御
ＲＲＨ：リモート無線ヘッド
ＲＲＵ：リモート無線ユニット
ＳＩＮＲ：信号対干渉及び雑音比
ＳＰＳ：半永続的スケジューリング
ＴＤＤ：時分割複信
ＵＣＩ：上りリンク制御情報
ＵＥ：ユーザ装置
ＵＬ：上りリンク
ＵＲＬＬＣ：超高信頼低遅延通信
ＵＴＲＡＮ：汎用地上無線アクセスネットワーク
ＷＡＮ：無線アクセスネットワーク
【図１】
2020523885.tif 000029
【図２】
2020523885.tif 000030
【図３】
2020523885.tif 000031
【図４】
2020523885.tif 000032
【図５】
2020523885.tif 000033
【図６】
2020523885.tif 000034
【図７】
2020523885.tif 000035
【図８】
2020523885.tif 000036
【図９Ａ】
2020523885.tif 000037
【図９Ｂ】
2020523885.tif 000038
【図１０Ａ】
2020523885.tif 000039
【図１０Ｂ】
2020523885.tif 000040
【図１１Ａ】
2020523885.tif 000041
【図１１Ｂ】
2020523885.tif 000042
【図１２】
2020523885.tif 000043
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
無線通信システムにおいてチャネル状態情報をレポートするためにユーザ装置によって実行される方法であって、
前記ユーザ装置は、チャネル状態情報基準信号（ＣＳＩ−ＲＳ）リソースセット内の２つ以上のＣＳＩ−ＲＳリソースで構成され、前記方法は、
前記ＣＳＩ−ＲＳリソースセットから少なくとも２つのＣＳＩ−ＲＳリソースを選択する（９１６）ことであって、前記少なくとも２つの選択されたＣＳＩ−ＲＳリソースそれぞれは、空間的に多重化されたレイヤのセットに関連付けられ、異なるセットは異なるレイヤを含み、前記選択されたＣＳＩ−ＲＳリソースの第１ＣＳＩ−ＲＳリソースは、レイヤの第１セットを含み、前記選択されたＣＳＩ−ＲＳリソースの第２ＣＳＩ−ＲＳリソースは、レイヤの第２セットを含み、レイヤの前記第１セット及びレイヤの前記第２セットは相互に干渉する、前記選択することと、
前記選択されたＣＳＩ−ＲＳリソースそれぞれに対して優先プリコーダ行列を決定する（９１８）ことと、
前記選択されたＣＳＩ−ＲＳリソースそれぞれと、前記選択されたＣＳＩ−ＲＳリソースそれぞれに対して前記決定された優先プリコーダ行列と、を示すＣＳＩレポートを送信する（９２２）ことと、を含む方法。
【請求項２】
請求項１に記載の方法であって、さらに、
前記選択されたＣＳＩ−ＲＳリソースそれぞれに対してチャネル推定値を計算する（９１４）ことと、
複数の有効チャネルでの仮定送信に対応するチャネル品質インジケータ（ＣＱＩ）を決定する（９２０）ことであって、前記有効チャネルは、前記選択されたＣＳＩ−ＲＳリソースそれぞれに対する前記優先プリコーダ行列及びチャネル推定値に依存し、前記有効チャネルを介して送信されるレイヤは相互に干渉する、前記決定することと、を含み、
前記ＣＳＩレポートは、さらに、前記選択されたＣＳＩ−ＲＳリソースそれぞれに対する前記決定されたＣＱＩを示す、方法。
【請求項３】
請求項１又は２に記載の方法であって、
各ＣＳＩ−ＲＳリソースは、
アンテナポート数（Ｐ）と、
垂直パネル数（Ｍｇ）及び水平パネル数（Ｎｇ）でパラメータ化されたマルチパネルアンテナアレイポートレイアウトと、
プリコーダコードブックと、
の内の少なくとも１つに関連付けられる、方法。
【請求項４】
請求項１から３のいずれか１項に記載の方法であって、
各ＣＳＩ−ＲＳリソースは、異なる疑似コロケーション（ＱＬＣ）仮定に関連付けられる、方法。
【請求項５】
請求項１から４のいずれか１項に記載の方法であって、さらに、
１つ以上のＣＳＩ−ＲＳリソースの組み合わせの可能な仮定を含むＣＳＩレポート構成を取得する（９１０）ことを含み、
前記少なくとも２つのＣＳＩ−ＲＳリソースを選択することは、前記可能な仮定の選択された１つに従って前記少なくとも２つのＣＳＩ−ＲＳリソースを選択することを含み、
前記ＣＳＩレポートは、前記選択された可能な仮定を示すことにより、前記選択されたＣＳＩ−ＲＳリソースを示す、方法。
【請求項６】
請求項１から５のいずれか１項に記載の方法であって、
前記ＣＳＩレポートを送信することは、前記選択されたＣＳＩ−ＲＳリソースの１つのＣＳＩ−ＲＳリソースに関連付けられた第１メッセージを送信することと、前記選択されたＣＳＩ−ＲＳリソースの第２ＣＳＩ−ＲＳリソースに関連付けられた第２メッセージを送信することと、を含む方法。
【請求項７】
請求項６に記載の方法であって、
前記第１メッセージは第１送信ポイントに送信され、前記第２メッセージは第２送信ポイントに送信される、方法。
【請求項８】
請求項１から７のいずれか１項に記載の方法であって、
少なくとも１つの選択されたＣＳＩ−ＲＳに対して前記決定された優先プリコーダ行列は、第１サブバンドに対する第１優先プリコーダ行列を含み、
前記方法は、さらに、前記少なくとも１つの選択されたＣＳＩ−ＲＳリソースについて、第２サブバンドに対する第２優先プリコーダ行列を決定する（９２０）ことを含み、
前記ＣＳＩレポートは、前記少なくとも１つの選択されたＣＳＩ−ＲＳリソースに対する前記第１優先プリコーダ行列及び前記第２優先プリコーダ行列を示す、方法。
【請求項９】
請求項１から８のいずれか１項に記載の方法であって、さらに、
前記ＣＱＩを決定するときに使用するコードワードからレイヤへのマッピングの表示を受信する（９１０）ことを含む、方法。
【請求項１０】
請求項１から９のいずれか１項に記載の方法であって、
復調基準信号（ＤＭＲＳ）アンテナポートのセットには、７〜１４の番号が付与され、
ＣＳＩ−ＲＳアンテナポートのセットには、１５〜３１の番号が付与され、
アンテナポート｛ｐｋ，ｐｋ＋１｝上、ここでｐｋ＝７＋Σｋ−１ｌ＝１ｖ１、の物理下りリンク共有チャネル（ＰＤＳＣＨ）信号のセットは、
【数１】
2020523885.tif 000044
ここで、
【数２】
2020523885.tif 000045
は、シンボルのベクトルであり、ｖＴＯＴ＝ΣＫｋ＝１ｖｋである、
で与えられる、Ｋ個のＣＳＩ−ＲＳリソースのセットのＣＳＩ−ＲＳリソースｋに対応するアンテナポート｛１５，・・・，１４＋Ｐｋ｝で送信される対応シンボルと同等の信号であり、各シンボルは、前記ユーザ装置に送信されるレイヤに対応し、前記ＰＤＳＣＨを送信する総てのレイヤを含む、方法。
【請求項１１】
請求項１から１０のいずれか１項に記載の方法であって、
前記選択されたＣＳＩ−ＲＳリソースのインデックスｋを有するＣＳＩ−ＲＳリソースに対して前記決定された優先プリコーダは、ｙ＝Ｗｋｘに従って前記ユーザ装置に送信される物理下りリンク共有チャネル（ＰＤＳＣＨ）信号のベクトルｘのレイヤのセットでＷｋを使用することに等しい送信ベクトルｙに従って決定される行列Ｗｋであり、ｙは、インデックスｋの前記ＣＳＩ−ＲＳリソースに対応するアンテナポート上での送信である、方法。
【請求項１２】
請求項１から１１のいずれか１項に記載の方法であって、
前記ＰＤＳＣＨ信号は、第１ポート番号Ｄ１で始まるインデックスが付与されたｖｋ個の復調基準信号（ＤＭＲＳ）アンテナポートのセット上にあり、
インデックスｋの前記ＣＳＩ−ＲＳリソースは、Ｐｋ個のアンテナポートを含み、インデックスＣ１が付与された第１アンテナポートを含み、
アンテナポート｛ｑｋ，ｑｋ＋１｝上の前記ＰＤＳＣＨ信号、ここで、ｑｋ＝Ｄ１＋Σｋ−１ｌ＝１ｖ１は、
【数３】
2020523885.tif 000046
で与えられる、ＣＳＩ−ＲＳリソースｋに対応するアンテナポート｛Ｃ１，・・・，Ｃ１＋Ｐｋ｝での送信に相当する信号である、方法。
【請求項１３】
無線通信システム（１００）においてチャネル状態情報をレポート可能なユーザ装置（１１０）であって、
前記ユーザ装置は、チャネル状態情報基準信号（ＣＳＩ−ＲＳ）リソースセット内の２つ以上のＣＳＩ−ＲＳリソースで構成され、前記ユーザ装置は、処理回路（１０２０）を備え、
前記処理回路は、
前記ＣＳＩ−ＲＳリソースセットから少なくとも２つのＣＳＩ−ＲＳリソースを選択し、前記少なくとも２つの選択されたＣＳＩ−ＲＳリソースそれぞれは、空間的に多重化されたレイヤのセットに関連付けられ、異なるセットは異なるレイヤを含み、前記選択されたＣＳＩ−ＲＳリソースの第１ＣＳＩ−ＲＳリソースは、レイヤの第１セットを含み、前記選択されたＣＳＩ−ＲＳリソースの第２ＣＳＩ−ＲＳリソースは、レイヤの第２セットを含み、レイヤの前記第１セット及びレイヤの前記第２セットは相互に干渉する、前記選択し、
前記選択されたＣＳＩ−ＲＳリソースそれぞれに対して優先プリコーダ行列を決定し、
前記選択されたＣＳＩ−ＲＳリソースそれぞれと、前記選択されたＣＳＩ−ＲＳリソースのそれぞれに対して前記決定された優先プリコーダ行列と、を示すＣＳＩレポートを送信する様に動作可能である、ユーザ装置。
【請求項１４】
請求項１３に記載のユーザ装置であって、
前記処理回路は、さらに、
前記選択されたＣＳＩ−ＲＳリソースそれぞれのチャネル推定値を計算し、
複数の有効チャネルでの仮定送信に対応するチャネル品質インジケータ（ＣＱＩ）を決定する様に動作可能であり、前記有効チャネルは、前記選択されたＣＳＩ−ＲＳリソースそれぞれに対する前記優先プリコーダ行列及びチャネル推定値に依存し、前記有効チャネルを介して送信されるレイヤは相互に干渉し、
前記ＣＳＩレポートは、さらに、前記選択されたＣＳＩ−ＲＳリソースそれぞれに対して前記決定されたＣＱＩを示す、及び／又は、
各ＣＳＩ−ＲＳリソースは、  アンテナポート数（Ｐ）と、
垂直パネル数（Ｍｇ）及び水平パネル数（Ｎｇ）でパラメータ化されたマルチパネルアンテナアレイポートレイアウトと、
プリコーダコードブックと、
の内の少なくとも１つに関連付けられる、及び／又は、
各ＣＳＩ−ＲＳリソースは、異なる疑似コロケーション（ＱＬＣ）仮定に関連付けられる、及び／又は、  前記処理回路は、さらに、
１つ以上のＣＳＩ−ＲＳリソースの組み合わせの可能な仮定を含むＣＳＩレポート構成を取得する様に動作可能であり、
前記処理回路は、前記可能な仮定の選択された１つに従って前記少なくとも２つのＣＳＩ−ＲＳリソースを選択することにより、前記少なくとも２つのＣＳＩ−ＲＳリソースを選択する様に動作可能であり、
前記ＣＳＩレポートは、前記選択された可能な仮定を示すことにより、前記選択されたＣＳＩ−ＲＳリソースを示す、及び／又は、
前記処理回路は、単一メッセージをネットワークノード（１２）に送信することにより前記ＣＳＩレポートを送信する様に動作可能である、及び／又は、
前記処理回路は、前記選択されたＣＳＩ−ＲＳリソースの１つのＣＳＩ−ＲＳリソースに関連付けられた第１メッセージを送信し、前記選択されたＣＳＩ−ＲＳリソースの第２ＣＳＩ−ＲＳリソースに関連付けられた第２メッセージを送信することにより、前記ＣＳＩレポートを送信する様に動作可能である、及び／又は、
前記第１メッセージは第１送信ポイントに送信され、前記第２メッセージは第２送信ポイントに送信される、及び／又は、
少なくとも１つの選択されたＣＳＩ−ＲＳに対して前記決定された優先プリコーダ行列は、第１サブバンドに対する第１優先プリコーダ行列を含み、
前記処理回路は、さらに、前記少なくとも１つの選択されたＣＳＩ−ＲＳリソースについて、第２サブバンドに対する第２優先プリコーダ行列を決定する様に動作可能であり、
前記ＣＳＩレポートは、前記少なくとも１つの選択されたＣＳＩ−ＲＳリソースに対する前記第１優先プリコーダ行列及び前記第２優先プリコーダ行列を示す、及び／又は、
前記処理回路は、さらに、前記ＣＱＩを決定するときに使用するコードワードからレイヤへのマッピングの表示を受信する様に動作可能である、及び／又は、
復調基準信号（ＤＭＲＳ）アンテナポートのセットには、７〜１４の番号が付与され、
ＣＳＩ−ＲＳアンテナポートのセットには、１５〜３１の番号が付与され、
アンテナポート｛ｐｋ，ｐｋ＋１｝上、ここでｐｋ＝７＋Σｋ−１ｌ＝１ｖ１、の物理下りリンク共有チャネル（ＰＤＳＣＨ）信号のセットは、
【数４】
2020523885.tif 000047
ここで、
【数５】
2020523885.tif 000048
は、シンボルのベクトルであり、ｖＴＯＴ＝ΣＫｋ＝１ｖｋである、
で与えられる、Ｋ個のＣＳＩ−ＲＳリソースのセットのＣＳＩ−ＲＳリソースｋに対応するアンテナポート｛１５，・・・，１４＋Ｐｋ｝で送信される対応シンボルと同等の信号であり、各シンボルは、前記ユーザ装置に送信されるレイヤに対応し、前記ＰＤＳＣＨを送信する総てのレイヤを含む、及び／又は、
前記選択されたＣＳＩ−ＲＳリソースのインデックスｋを有するＣＳＩ−ＲＳリソースに対して前記決定された優先プリコーダは、ｙ＝Ｗｋｘに従って前記ユーザ装置に送信される物理下りリンク共有チャネル（ＰＤＳＣＨ）信号のベクトルｘのレイヤのセットでＷｋを使用することに等しい送信ベクトルｙに従って決定される行列Ｗｋであり、ｙは、インデックスｋの前記ＣＳＩ−ＲＳリソースに対応するアンテナポート上での送信である、及び／又は、
前記ＰＤＳＣＨ信号は、第１ポート番号Ｄ１で始まるインデックスが付与されたｖｋ個の復調基準信号（ＤＭＲＳ）アンテナポートのセット上にあり、
インデックスｋの前記ＣＳＩ−ＲＳリソースは、Ｐｋ個のアンテナポートを含み、インデックスＣ１が付与された第１アンテナポートを含み、
アンテナポート｛ｑｋ，ｑｋ＋１｝上の前記ＰＤＳＣＨ信号、ここで、ｑｋ＝Ｄ１＋Σｋ−１ｌ＝１ｖ１は、
【数６】
2020523885.tif 000049
で与えられる、ＣＳＩ−ＲＳリソースｋに対応するアンテナポート｛Ｃ１，・・・，Ｃ１＋Ｐｋ｝での送信に相当する信号である、ユーザ装置。
【請求項１５】
無線通信システムのネットワークノードにより実行される方法であって、
第１アンテナサブセットから、少なくとも２つのチャネル状態情報基準信号（ＣＳＩ−ＲＳ）リソースのセット内の第１ＣＳＩ−ＲＳリソースで第１ＣＳＩ−ＲＳを、かつ、第２アンテナサブセットから、少なくとも２つのＣＳＩ−ＲＳリソースの前記セット内の第２ＣＳＩ−ＲＳリソースで第２ＣＳＩ−ＲＳを、ユーザ装置に送信する（９５４）ことであって、前記第１アンテナサブセット及び前記第２アンテナサブセットは、それぞれ、空間的に多重化されたレイヤの第１セット及び第２セットを含み、レイヤの前記第１セット及び前記第２セットは異なる、前記送信することと、
前記ユーザ装置から、前記第１ＣＳＩ−ＲＳリソースに関連付けられた第１優先プリコーダ行列と、前記第２ＣＳＩ−ＲＳリソースに関連付けられた第２優先プリコーダ行列と、を含むＣＳＩレポートを受信する（９５６）ことと、
を含み、
前記第１ＣＳＩ−ＲＳリソースは、レイヤの第１セットを含み、前記第２ＣＳＩ−ＲＳリソースは、レイヤの第２セットを含み、レイヤの前記第１セット及びレイヤの前記第２セットは相互に干渉する方法。
【請求項１６】
請求項１５に記載の方法であって、
前記第１アンテナサブセット及び前記第２アンテナサブセットは、異なる送信ポイントに属する、或いは、同じ送信ポイントの異なるアンテナパネルに属する、方法。
【請求項１７】
請求項１５又は１６に記載の方法であって、さらに、
ＣＳＩ−ＲＳリソースの組み合わせの可能な仮定を含むＣＳＩレポート構成を前記ユーザ装置に送信する（９５２）こと、を含む方法。
【請求項１８】
請求項１５から１７のいずれか１項に記載の方法であって、さらに、
前記ＣＱＩを決定するときに使用するコードワードからレイヤへのマッピングの表示を前記ユーザ装置に送信する（９５２）こと、を含む方法。
【請求項１９】
無線通信システム（１００）のネットワークノード（１２０）であって、
前記ネットワークノードは、処理回路（１１２０）を備え、
前記処理回路は、
第１アンテナサブセットから、少なくとも２つのチャネル状態情報基準信号（ＣＳＩ−ＲＳ）リソースのセット内の第１ＣＳＩ−ＲＳリソースで第１ＣＳＩ−ＲＳを、かつ、第２アンテナサブセットから、少なくとも２つのＣＳＩ−ＲＳリソースの前記セット内の第２ＣＳＩ−ＲＳリソースで第２ＣＳＩ−ＲＳを、ユーザ装置（１１０）に送信し、前記第１アンテナサブセット及び前記第２アンテナサブセットは、それぞれ、空間的に多重化されたレイヤの第１セット及び第２セットを含み、レイヤの前記第１セット及び前記第２セットは異なる、前記送信し、
前記ユーザ装置から、前記第１ＣＳＩ−ＲＳリソースに関連付けられた第１優先プリコーダ行列と、前記第２ＣＳＩ−ＲＳリソースに関連付けられた第２優先プリコーダ行列と、を含むＣＳＩレポートを受信する様に動作可能であり、
前記第１ＣＳＩ−ＲＳリソースは、レイヤの第１セットを含み、前記第２ＣＳＩ−ＲＳリソースは、レイヤの第２セットを含み、レイヤの前記第１セット及びレイヤの前記第２セットは相互に干渉する、ネットワークノード。
【請求項２０】
請求項１９に記載のネットワークノードであって、
前記ＣＳＩレポートは、さらに、前記第１優先プリコーダ行列及び前記第２優先プリコーダ行列それぞれに関連付けられたチャネル品質インジケータ（ＣＱＩ）を含む、及び／又は、
前記アンテナサブセットは、異なる送信ポイント、或いは、同じ送信ポイントの異なるアンテナパネルに属する、及び／又は、
前記処理回路は、前記第１ＣＳＩ−ＲＳリソースに関連付けられた前記第１優先プリコーダ行列を含む第１メッセージを受信し、前記第２ＣＳＩ−ＲＳリソースに関連付けられた前記第２優先プリコーダ行列を含む第２メッセージを受信することにより、前記ＣＳＩレポートを受信する様に動作可能である、及び／又は、
各ＣＳＩ−ＲＳリソースは、
アンテナポート数（Ｐ）と、
垂直パネル数（Ｍｇ）及び水平パネル数（Ｎｇ）でパラメータ化されたマルチパネルアンテナアレイポートレイアウトと、
プリコーダコードブックと、
の内の少なくとも１つに関連付けられる、及び／又は、
各ＣＳＩ−ＲＳリソースは、異なる疑似コロケーション（ＱＬＣ）仮定に関連付けられる、及び／又は、  前記処理回路は、さらに、ＣＳＩ−ＲＳリソースの組み合わせの可能な仮定を含むＣＳＩレポート構成を前記ユーザ装置に送信する様に動作可能である、及び／又は、
前記処理回路は、さらに、前記ＣＱＩを決定するときに使用するコードワードからレイヤへのマッピングの表示を前記ユーザ装置に送信する様に動作可能である、及び／又は、
復調基準信号（ＤＭＲＳ）アンテナポートのセットには、７〜１４の番号が付与され、
ＣＳＩ−ＲＳアンテナポートのセットには、１５〜３１の番号が付与され、
アンテナポート｛ｐｋ，ｐｋ＋１｝上、ここでｐｋ＝７＋Σｋ−１ｌ＝１ｖ１、の物理下りリンク共有チャネル（ＰＤＳＣＨ）信号のセットは、
【数７】
2020523885.tif 000050
ここで、
【数８】
2020523885.tif 000051
は、シンボルのベクトルであり、ｖＴＯＴ＝ΣＫｋ＝１ｖｋである、
で与えられる、Ｋ個のＣＳＩ−ＲＳリソースのセットのＣＳＩ−ＲＳリソースｋに対応するアンテナポート｛１５，・・・，１４＋Ｐｋ｝で送信される対応するシンボルと同等の信号であり、各シンボルは、前記ユーザ装置に送信されるレイヤに対応し、前記ＰＤＳＣＨを送信する総てのレイヤを含む、及び／又は、
前記選択されたＣＳＩ−ＲＳリソースのインデックスｋを有するＣＳＩ−ＲＳリソースに対して前記決定された優先プリコーダは、ｙ＝Ｗｋｘに従って前記ユーザ装置に送信される物理下りリンク共有チャネル（ＰＤＳＣＨ）信号のベクトルｘのレイヤのセットでＷｋを使用することに等しい送信ベクトルｙに従って決定される行列Ｗｋであり、ｙは、インデックスｋの前記ＣＳＩ−ＲＳリソースに対応するアンテナポート上での送信である、及び／又は、
前記ＰＤＳＣＨ信号は、第１ポート番号Ｄ１で始まるインデックスが付与されたｖｋ個の復調基準信号（ＤＭＲＳ）アンテナポートのセット上にあり、
インデックスｋの前記ＣＳＩ−ＲＳリソースは、Ｐｋ個のアンテナポートを含み、インデックスＣ１が付与された第１アンテナポートを含み、
アンテナポート｛ｑｋ，ｑｋ＋１｝上の前記ＰＤＳＣＨ信号、ここで、ｑｋ＝Ｄ１＋Σｋ−１ｌ＝１ｖ１は、
【数９】
2020523885.tif 000052
で与えられる、ＣＳＩ−ＲＳリソースｋに対応するアンテナポート｛Ｃ１，・・・，Ｃ１＋Ｐｋ｝での送信に相当する信号である、ネットワークノード。
【国際調査報告】
2020523885.tif 000053
2020523885.tif 000054
2020523885.tif 000055